(57)【要約】  本開示は、下り制御チャネル伝送方法、端末及びネットワーク側機器を提供する。該方法において、異なるビーム方向に設定された異なる制御リソースセットＣＯＲＥＳＥＴ内で伝送される探索空間の監視機会の衝突が発生する場合、衝突が発生する探索空間のタイプに応じて、前記異なるＣＯＲＥＳＥＴからターゲットＣＯＲＥＳＥＴを選択することと、ターゲットＣＯＲＥＳＥＴのビーム方向に従って下り制御チャネルを検出して受信することとを含み、前記監視機会の衝突の発生は、監視機会が同じであり且つ前記異なるＣＯＲＥＳＥＴに設定されるリソースがオーバーラップし、又は監視機会の時間間隔が指定閾値よりも小さいことである。【選択図】  図１
2022502949.tif 000002
【特許請求の範囲】
【請求項１】
端末に応用される下り制御チャネル伝送方法であって、
異なるビーム方向に設定された異なる制御リソースセットＣＯＲＥＳＥＴ（ｃｏｎｔｒｏｌ−ｒｅｓｏｕｒｃｅ  ｓｅｔ）内で伝送される探索空間の監視機会の衝突が発生する場合、衝突が発生する探索空間のタイプに応じて、前記異なるＣＯＲＥＳＥＴからターゲットＣＯＲＥＳＥＴを選択することと、
前記ターゲットＣＯＲＥＳＥＴのビーム方向に従って下り制御チャネルを検出して受信することとを含み、
前記監視機会の衝突の発生は、監視機会が同じであり且つ前記異なるＣＯＲＥＳＥＴに設定されるリソースがオーバーラップし、又は監視機会の時間間隔が指定閾値よりも小さいことである、下り制御チャネル伝送方法。
【請求項２】
前記の衝突が発生する探索空間のタイプに応じて、前記異なるＣＯＲＥＳＥＴからターゲットＣＯＲＥＳＥＴを選択することは、
前記衝突が発生する探索空間のうちの１つだけが共通探索空間である場合、前記共通探索空間を伝送するＣＯＲＥＳＥＴを前記ターゲットＣＯＲＥＳＥＴとして特定することを含む、請求項１に記載の下り制御チャネル伝送方法。
【請求項３】
前記の衝突が発生する探索空間のタイプに応じて、前記異なるＣＯＲＥＳＥＴからターゲットＣＯＲＥＳＥＴを選択することは、
前記衝突が発生する探索空間のうち、少なくとも２つが共通探索空間である場合、前記共通探索空間を伝送する少なくとも２つのＣＯＲＥＳＥＴから、番号が最も小さいＣＯＲＥＳＥＴを前記ターゲットＣＯＲＥＳＥＴとして選択することを含む、請求項１に記載の下り制御チャネル伝送方法。
【請求項４】
前記の衝突が発生する探索空間のタイプに応じて、前記異なるＣＯＲＥＳＥＴからターゲットＣＯＲＥＳＥＴを選択することは、
前記衝突が発生する探索空間がすべて専用探索空間である場合、前記異なるＣＯＲＥＳＥＴから、番号が最も小さいＣＯＲＥＳＥＴを前記ターゲットＣＯＲＥＳＥＴとして選択することを含む、請求項１に記載の下り制御チャネル伝送方法。
【請求項５】
前記の前記ターゲットＣＯＲＥＳＥＴのビーム方向に従って下り制御チャネルを検出して受信することは、
前記異なるＣＯＲＥＳＥＴ毎に、前記ターゲットＣＯＲＥＳＥＴのビーム方向に従って下り制御チャネルを検出して受信すること、又は、
前記ターゲットＣＯＲＥＳＥＴ内でのみ前記ターゲットＣＯＲＥＳＥＴのビーム方向に従って下り制御チャネルを検出して受信し、且つ前記異なるＣＯＲＥＳＥＴのうち前記ターゲットＣＯＲＥＳＥＴ以外の他ＣＯＲＥＳＥＴ内で下り制御チャネルを検出しないことを含む、請求項１〜４のいずれか１項に記載の下り制御チャネル伝送方法。
【請求項６】
ネットワーク側機器に応用される下り制御チャネル伝送方法であって、
異なるビーム方向に設定された異なるＣＯＲＥＳＥＴで下り制御チャネルを送信すべき時刻の衝突が発生する場合、
前記異なるＣＯＲＥＳＥＴ内で衝突が発生する探索空間のタイプに応じて、前記異なるＣＯＲＥＳＥＴからターゲットＣＯＲＥＳＥＴを選択し、前記ターゲットＣＯＲＥＳＥＴのビーム方向に従って下り制御チャネルを送信すること、又は、
前記異なるＣＯＲＥＳＥＴ毎にそれぞれのビーム方向に従って下り制御チャネルを送信することを含み、
前記下り制御チャネルを送信すべき時刻の衝突の発生は、下り制御チャネルを送信する時刻が同じであり且つ前記異なるＣＯＲＥＳＥＴに設定されるリソースがオーバーラップし、又は下り制御チャネル送信の時間間隔が指定閾値よりも小さいことである、下り制御チャネル伝送方法。
【請求項７】
前記の前記異なるＣＯＲＥＳＥＴ内で衝突が発生する探索空間のタイプに応じて、前記異なるＣＯＲＥＳＥＴからターゲットＣＯＲＥＳＥＴを選択することは、
前記衝突が発生する探索空間のうちの１つだけが共通探索空間である場合、前記共通探索空間を伝送するＣＯＲＥＳＥＴを前記ターゲットＣＯＲＥＳＥＴとして特定することを含む、請求項６に記載の下り制御チャネル伝送方法。
【請求項８】
前記の前記異なるＣＯＲＥＳＥＴ内で衝突が発生する探索空間のタイプに応じて、前記異なるＣＯＲＥＳＥＴからターゲットＣＯＲＥＳＥＴを選択することは、
前記衝突が発生する探索空間のうち、少なくとも２つが共通探索空間である場合、前記共通探索空間を伝送する少なくとも２つのＣＯＲＥＳＥＴから、番号が最も小さいＣＯＲＥＳＥＴを前記ターゲットＣＯＲＥＳＥＴとして選択することを含む、請求項６に記載の下り制御チャネル伝送方法。
【請求項９】
前記の前記異なるＣＯＲＥＳＥＴ内で衝突が発生する探索空間のタイプに応じて、前記異なるＣＯＲＥＳＥＴからターゲットＣＯＲＥＳＥＴを選択することは、
前記衝突が発生する探索空間がすべて専用探索空間である場合、前記異なるＣＯＲＥＳＥＴから、番号が最も小さいＣＯＲＥＳＥＴを前記ターゲットＣＯＲＥＳＥＴとして選択することを含む、請求項６に記載の下り制御チャネル伝送方法。
【請求項１０】
前記の前記ターゲットＣＯＲＥＳＥＴのビーム方向に従って下り制御チャネルを送信することは、
前記異なるＣＯＲＥＳＥＴ毎に、前記ターゲットＣＯＲＥＳＥＴのビーム方向に従って下り制御チャネルを送信すること、又は、
前記ターゲットＣＯＲＥＳＥＴ内でのみそのビーム方向に従って下り制御チャネルを送信し、且つ前記異なるＣＯＲＥＳＥＴのうち前記ターゲットＣＯＲＥＳＥＴ以外の他ＣＯＲＥＳＥＴ内で下り制御チャネルを送信しないことを含む、請求項６〜９のいずれか１項に記載の下り制御チャネル伝送方法。
【請求項１１】
異なるビーム方向に設定された異なる制御リソースセットＣＯＲＥＳＥＴ内で伝送される探索空間の監視機会の衝突が発生する場合、衝突が発生する探索空間のタイプに応じて、前記異なるＣＯＲＥＳＥＴからターゲットＣＯＲＥＳＥＴを選択する第１ターゲットＣＯＲＥＳＥＴ特定モジュールと、
前記ターゲットＣＯＲＥＳＥＴのビーム方向に従って下り制御チャネルを検出して受信する検出受信モジュールとを含み、
前記監視機会の衝突の発生は、監視機会が同じであり且つ前記異なるＣＯＲＥＳＥＴに設定されるリソースがオーバーラップし、又は監視機会の時間間隔が指定閾値よりも小さいことである、端末。
【請求項１２】
前記第１ターゲットＣＯＲＥＳＥＴ特定モジュールは、
前記衝突が発生する探索空間のうちの１つだけが共通探索空間である場合、前記共通探索空間を伝送するＣＯＲＥＳＥＴを前記ターゲットＣＯＲＥＳＥＴとして特定する第１特定ユニットを含む、請求項１１に記載の端末。
【請求項１３】
前記第１ターゲットＣＯＲＥＳＥＴ特定モジュールは、
前記衝突が発生する探索空間のうち、少なくとも２つが共通探索空間である場合、前記共通探索空間を伝送する少なくとも２つのＣＯＲＥＳＥＴから、番号が最も小さいＣＯＲＥＳＥＴを前記ターゲットＣＯＲＥＳＥＴとして選択する第２特定ユニットを含む、請求項１１に記載の端末。
【請求項１４】
前記第１ターゲットＣＯＲＥＳＥＴ特定モジュールは、
前記衝突が発生する探索空間がすべて専用探索空間である場合、前記異なるＣＯＲＥＳＥＴから、番号が最も小さいＣＯＲＥＳＥＴを前記ターゲットＣＯＲＥＳＥＴとして選択する第３特定ユニットを含む、請求項１１に記載の端末。
【請求項１５】
前記検出受信モジュールは、
前記異なるＣＯＲＥＳＥＴ毎に、前記ターゲットＣＯＲＥＳＥＴのビーム方向に従って下り制御チャネルを検出して受信する第１検出受信ユニット、又は、
前記ターゲットＣＯＲＥＳＥＴ内でのみ前記ターゲットＣＯＲＥＳＥＴのビーム方向に従って下り制御チャネルを検出して受信し、且つ前記異なるＣＯＲＥＳＥＴのうち前記ターゲットＣＯＲＥＳＥＴ以外の他ＣＯＲＥＳＥＴ内で下り制御チャネルを検出しない第２検出受信ユニットを含む、請求項１１〜１４のいずれか１項に記載の端末。
【請求項１６】
異なるビーム方向に設定された異なるＣＯＲＥＳＥＴで下り制御チャネルを送信すべき時刻の衝突が発生する場合、
前記異なるＣＯＲＥＳＥＴ内で衝突が発生する探索空間のタイプに応じて、前記異なるＣＯＲＥＳＥＴからターゲットＣＯＲＥＳＥＴを選択し、前記ターゲットＣＯＲＥＳＥＴのビーム方向に従って下り制御チャネルを送信し、又は、前記異なるＣＯＲＥＳＥＴ毎にそれぞれのビーム方向に従って下り制御チャネルを送信する送信モジュールを含み、
前記下り制御チャネルを送信すべき時刻の衝突の発生は、下り制御チャネルを送信する時刻が同じであり且つ前記異なるＣＯＲＥＳＥＴに設定されるリソースがオーバーラップし、又は下り制御チャネル送信の時間間隔が指定閾値よりも小さいことである、ネットワーク側機器。
【請求項１７】
前記送信モジュールは、
前記衝突が発生する探索空間のうちの１つだけが共通探索空間である場合、前記共通探索空間を伝送するＣＯＲＥＳＥＴを前記ターゲットＣＯＲＥＳＥＴとして特定する第４特定ユニットを含む、請求項１６に記載のネットワーク側機器。
【請求項１８】
前記送信モジュールは、
前記衝突が発生する探索空間のうち、少なくとも２つが共通探索空間である場合、前記共通探索空間を伝送する少なくとも２つのＣＯＲＥＳＥＴから、番号が最も小さいＣＯＲＥＳＥＴを前記ターゲットＣＯＲＥＳＥＴとして選択する第５特定ユニットを含む、請求項１６に記載のネットワーク側機器。
【請求項１９】
前記送信モジュールは、
前記衝突が発生する探索空間がすべて専用探索空間である場合、前記異なるＣＯＲＥＳＥＴから、番号が最も小さいＣＯＲＥＳＥＴを前記ターゲットＣＯＲＥＳＥＴとして選択する第６特定ユニットを含む、請求項１６に記載のネットワーク側機器。
【請求項２０】
前記送信モジュールは、
前記異なるＣＯＲＥＳＥＴ毎に、前記ターゲットＣＯＲＥＳＥＴのビーム方向に従って下り制御チャネルを送信する第１送信ユニット、又は、
前記ターゲットＣＯＲＥＳＥＴ内でのみそのビーム方向に従って下り制御チャネルを送信し、且つ前記異なるＣＯＲＥＳＥＴのうち前記ターゲットＣＯＲＥＳＥＴ以外の他ＣＯＲＥＳＥＴ内で下り制御チャネルを送信しない第２送信ユニットを含む、請求項１６〜１９のいずれか１項に記載のネットワーク側機器。
【請求項２１】
トランシーバと、メモリと、プロセッサと、前記メモリに格納されて前記プロセッサで実行可能なコンピュータプログラムを含む端末であって、
前記プロセッサは、
異なるビーム方向に設定された異なる制御リソースセットＣＯＲＥＳＥＴ内で伝送される探索空間の監視機会の衝突が発生する場合、衝突が発生する探索空間のタイプに応じて、前記異なるＣＯＲＥＳＥＴからターゲットＣＯＲＥＳＥＴを選択し、
前記トランシーバは、
前記ターゲットＣＯＲＥＳＥＴのビーム方向に従って下り制御チャネルを検出して受信し、
前記監視機会の衝突の発生は、監視機会が同じであり且つ前記異なるＣＯＲＥＳＥＴに設定されるリソースがオーバーラップし、又は監視機会の時間間隔が指定閾値よりも小さいことである、端末。
【請求項２２】
前記プロセッサは、
前記衝突が発生する探索空間のうちの１つだけが共通探索空間である場合、前記共通探索空間を伝送するＣＯＲＥＳＥＴを前記ターゲットＣＯＲＥＳＥＴとして特定する、請求項２１に記載の端末。
【請求項２３】
前記プロセッサは、
前記衝突が発生する探索空間のうち、少なくとも２つが共通探索空間である場合、前記共通探索空間を伝送する少なくとも２つのＣＯＲＥＳＥＴから、番号が最も小さいＣＯＲＥＳＥＴを前記ターゲットＣＯＲＥＳＥＴとして選択する、請求項２１に記載の端末。
【請求項２４】
前記プロセッサは、
前記衝突が発生する探索空間がすべて専用探索空間である場合、前記異なるＣＯＲＥＳＥＴから、番号が最も小さいＣＯＲＥＳＥＴを前記ターゲットＣＯＲＥＳＥＴとして選択する、請求項２１に記載の端末。
【請求項２５】
前記トランシーバは、
前記異なるＣＯＲＥＳＥＴ毎に、前記ターゲットＣＯＲＥＳＥＴのビーム方向に従って下り制御チャネルを検出して受信し、又は、
前記ターゲットＣＯＲＥＳＥＴ内でのみ前記ターゲットＣＯＲＥＳＥＴのビーム方向に従って下り制御チャネルを検出して受信し、且つ前記異なるＣＯＲＥＳＥＴのうち前記ターゲットＣＯＲＥＳＥＴ以外の他ＣＯＲＥＳＥＴ内で下り制御チャネルを検出しない、請求項２１〜２４のいずれか１項に記載の端末。
【請求項２６】
トランシーバと、メモリと、プロセッサと、前記メモリに格納されて前記プロセッサで実行可能なコンピュータプログラムを含むネットワーク側機器であって、
前記プロセッサは、
異なるビーム方向に設定された異なるＣＯＲＥＳＥＴで下り制御チャネルを送信すべき時刻の衝突が発生する場合、前記異なるＣＯＲＥＳＥＴ内で衝突が発生する探索空間のタイプに応じて、前記異なるＣＯＲＥＳＥＴからターゲットＣＯＲＥＳＥＴを選択し、
前記トランシーバは、
前記ターゲットＣＯＲＥＳＥＴのビーム方向に従って下り制御チャネルを送信し、
又は、
前記トランシーバは、
異なるビーム方向に設定された異なるＣＯＲＥＳＥＴで下り制御チャネルを送信すべき時刻の衝突が発生する場合、前記異なるＣＯＲＥＳＥＴ毎にそれぞれのビーム方向に従って下り制御チャネルを送信し、
前記下り制御チャネルを送信すべき時刻の衝突の発生は、下り制御チャネルを送信する時刻が同じであり且つ前記異なるＣＯＲＥＳＥＴに設定されるリソースがオーバーラップし、又は下り制御チャネル送信の時間間隔が指定閾値よりも小さいことである、ネットワーク側機器。
【請求項２７】
前記プロセッサは、
前記衝突が発生する探索空間のうちの１つだけが共通探索空間である場合、前記共通探索空間を伝送するＣＯＲＥＳＥＴを前記ターゲットＣＯＲＥＳＥＴとして特定する、請求項２６に記載のネットワーク側機器。
【請求項２８】
前記プロセッサは、
前記衝突が発生する探索空間のうち、少なくとも２つが共通探索空間である場合、前記共通探索空間を伝送する少なくとも２つのＣＯＲＥＳＥＴから、番号が最も小さいＣＯＲＥＳＥＴを前記ターゲットＣＯＲＥＳＥＴとして選択する、請求項２６に記載のネットワーク側機器。
【請求項２９】
前記プロセッサは、
前記衝突が発生する探索空間がすべて専用探索空間である場合、前記異なるＣＯＲＥＳＥＴから、番号が最も小さいＣＯＲＥＳＥＴを前記ターゲットＣＯＲＥＳＥＴとして選択する、請求項２６に記載のネットワーク側機器。
【請求項３０】
前記トランシーバは、
前記異なるＣＯＲＥＳＥＴ毎に、前記ターゲットＣＯＲＥＳＥＴのビーム方向に従って下り制御チャネルを送信し、又は、前記ターゲットＣＯＲＥＳＥＴ内でのみそのビーム方向に従って下り制御チャネルを送信し、且つ前記異なるＣＯＲＥＳＥＴのうち前記ターゲットＣＯＲＥＳＥＴ以外の他ＣＯＲＥＳＥＴ内で下り制御チャネルを送信しない、請求項２６〜２９のいずれか１項に記載のネットワーク側機器。
【請求項３１】
コンピュータプログラムが格納されているコンピュータ読み取り可能な記憶媒体であって、
該コンピュータプログラムがプロセッサによって実行されると、請求項１〜１０のいずれか１項に記載の下り制御チャネル伝送方法が実現される、コンピュータ読み取り可能な記憶媒体。
【発明の詳細な説明】
【技術分野】
【０００１】
（関連出願の相互参照）
本願は、２０１８年０９月２８日に中国特許庁に提出された中国特許出願２０１８１１１４３０５７．１の優先権を主張し、その全ての内容が援用によりここに取り込まれる。
本開示は、通信技術分野に係り、特に下り制御チャネル伝送方法、端末及びネットワーク側機器に係る。
【背景技術】
【０００２】
第５世代移動通信技術５Ｇ（５ｔｈ−Ｇｅｎｅｒａｔｉｏｎ）システムでは、制御リソースセットＣＯＲＥＳＥＴ（ｃｏｎｔｒｏｌ−ｒｅｓｏｕｒｃｅ  ｓｅｔ）という概念が導入されている。ＣＯＲＥＳＥＴの時間領域リソースは、１〜３個の直交周波数分割多重ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）シンボルからなり、周波数領域では、長さ４５のｂｉｔｍａｐ（ビットマップ）によって、連続する６個のリソースブロックＲＢ（Ｒｅｓｏｕｒｃｅ  Ｂｌｏｃｋ）を粒度とする連続的又は離散的な複数のリソース群を示し、リソース設定が非常に柔軟である。異なる監視周期を有する探索空間は、同じ又は異なるＣＯＲＥＳＥＴ内で伝送される。ＣＯＲＥＳＥＴ毎に独立してビーム方向が設定され得、即ち、異なるＣＯＲＥＳＥＴには、異なるビーム方向（即ちＴｙｐｅ−Ｄ  ＱＣＬ）が設定され得る。異なるビーム方向に設定されたＣＯＲＥＳＥＴが、設定されたリソースに重なり（又はオーバーラップし）、且つ、異なるＣＯＲＥＳＥＴに属する探索空間が、同一の物理下り制御チャネルＰＤＣＣＨ（Ｐｈｙｓｉｃａｌ  Ｄｏｗｎｌｉｎｋ  Ｃｏｎｔｒｏｌ  Ｃｈａｎｎｅｌ）の監視機会で衝突する場合、端末は、１つのビーム方向のデータしか受信できない。この場合の基地局と端末の挙動は、現在明確に定義されていない。
【発明の概要】
【発明が解決しようとする課題】
【０００３】
本開示の実施例は、異なるビーム方向に設定されたＣＯＲＥＳＥＴが物理リソース上で重なる場合に基地局と端末の挙動が明確に定義されていないという現在の問題を解決するために、下り制御チャネル伝送方法、端末及びネットワーク側機器を提供する。
【課題を解決するための手段】
【０００４】
上記目的を実現するために、第１態様として、本開示の一部実施例は、端末に応用される下り制御チャネル伝送方法を提供し、その方法は、異なるビーム方向に設定された異なる制御リソースセットＣＯＲＥＳＥＴ（ｃｏｎｔｒｏｌ−ｒｅｓｏｕｒｃｅ  ｓｅｔ）内で伝送される探索空間の監視機会の衝突が発生する場合、衝突が発生する探索空間のタイプに応じて、前記異なるＣＯＲＥＳＥＴからターゲットＣＯＲＥＳＥＴを選択することと、前記ターゲットＣＯＲＥＳＥＴのビーム方向に従って下り制御チャネルを検出して受信することとを含み、前記監視機会の衝突の発生は、監視機会が同じであり且つ前記異なるＣＯＲＥＳＥＴに設定されるリソースがオーバーラップし、又は監視機会の時間間隔が指定閾値よりも小さいことである。
【０００５】
任意選択で、前記の衝突が発生する探索空間のタイプに応じて、前記異なるＣＯＲＥＳＥＴからターゲットＣＯＲＥＳＥＴを選択することは、
前記衝突が発生する探索空間のうちの１つだけが共通探索空間である場合、前記共通探索空間を伝送するＣＯＲＥＳＥＴを前記ターゲットＣＯＲＥＳＥＴとして特定することを含む。
【０００６】
任意選択で、前記の衝突が発生する探索空間のタイプに応じて、前記異なるＣＯＲＥＳＥＴからターゲットＣＯＲＥＳＥＴを選択することは、
前記衝突が発生する探索空間のうち、少なくとも２つが共通探索空間である場合、前記共通探索空間を伝送する少なくとも２つのＣＯＲＥＳＥＴから、番号が最も小さいＣＯＲＥＳＥＴを前記ターゲットＣＯＲＥＳＥＴとして選択することを含む。
【０００７】
任意選択で、前記の衝突が発生する探索空間のタイプに応じて、前記異なるＣＯＲＥＳＥＴからターゲットＣＯＲＥＳＥＴを選択することは、
前記衝突が発生する探索空間がすべて専用探索空間である場合、前記異なるＣＯＲＥＳＥＴから、番号が最も小さいＣＯＲＥＳＥＴを前記ターゲットＣＯＲＥＳＥＴとして選択することを含む。
【０００８】
任意選択で、前記の前記ターゲットＣＯＲＥＳＥＴのビーム方向に従って下り制御チャネルを検出して受信することは、
前記異なるＣＯＲＥＳＥＴ毎に、前記ターゲットＣＯＲＥＳＥＴのビーム方向に従って下り制御チャネルを検出して受信すること、又は、
前記ターゲットＣＯＲＥＳＥＴ内でのみ前記ターゲットＣＯＲＥＳＥＴのビーム方向に従って下り制御チャネルを検出して受信し、且つ前記異なるＣＯＲＥＳＥＴのうち前記ターゲットＣＯＲＥＳＥＴ以外の他ＣＯＲＥＳＥＴ内で下り制御チャネルを検出しないことを含む。
【０００９】
第２態様として、本開示の一部実施例は、更に、ネットワーク側機器に応用される下り制御チャネル伝送方法を提供し、その方法は、異なるビーム方向に設定された異なるＣＯＲＥＳＥＴで下り制御チャネルを送信すべき時刻の衝突が発生する場合、
前記異なるＣＯＲＥＳＥＴ内で衝突が発生する探索空間のタイプに応じて、前記異なるＣＯＲＥＳＥＴからターゲットＣＯＲＥＳＥＴを選択し、前記ターゲットＣＯＲＥＳＥＴのビーム方向に従って下り制御チャネルを送信すること、又は、
前記異なるＣＯＲＥＳＥＴ毎にそれぞれのビーム方向に従って下り制御チャネルを送信することを含み、
前記下り制御チャネルを送信すべき時刻の衝突の発生は、下り制御チャネルを送信する時刻が同じであり且つ前記異なるＣＯＲＥＳＥＴに設定されるリソースがオーバーラップし、又は下り制御チャネル送信の時間間隔が指定閾値よりも小さいことである。
【００１０】
任意選択で、前記の前記異なるＣＯＲＥＳＥＴ内で衝突が発生する探索空間のタイプに応じて、前記異なるＣＯＲＥＳＥＴからターゲットＣＯＲＥＳＥＴを選択することは、
前記衝突が発生する探索空間のうちの１つだけが共通探索空間である場合、前記共通探索空間を伝送するＣＯＲＥＳＥＴを前記ターゲットＣＯＲＥＳＥＴとして特定することを含む。
【００１１】
任意選択で、前記の前記異なるＣＯＲＥＳＥＴ内で衝突が発生する探索空間のタイプに応じて、前記異なるＣＯＲＥＳＥＴからターゲットＣＯＲＥＳＥＴを選択することは、
前記衝突が発生する探索空間のうち、少なくとも２つが共通探索空間である場合、前記共通探索空間を伝送する少なくとも２つのＣＯＲＥＳＥＴから、番号が最も小さいＣＯＲＥＳＥＴを前記ターゲットＣＯＲＥＳＥＴとして選択することを含む。
【００１２】
任意選択で、前記の前記異なるＣＯＲＥＳＥＴ内で衝突が発生する探索空間のタイプに応じて、前記異なるＣＯＲＥＳＥＴからターゲットＣＯＲＥＳＥＴを選択することは、
前記衝突が発生する探索空間がすべて専用探索空間である場合、前記異なるＣＯＲＥＳＥＴから、番号が最も小さいＣＯＲＥＳＥＴを前記ターゲットＣＯＲＥＳＥＴとして選択することを含む。
【００１３】
任意選択で、前記の前記ターゲットＣＯＲＥＳＥＴのビーム方向に従って下り制御チャネルを送信することは、
前記異なるＣＯＲＥＳＥＴ毎に、前記ターゲットＣＯＲＥＳＥＴのビーム方向に従って下り制御チャネルを送信すること、又は、
前記ターゲットＣＯＲＥＳＥＴ内でのみそのビーム方向に従って下り制御チャネルを送信し、且つ前記異なるＣＯＲＥＳＥＴのうち前記ターゲットＣＯＲＥＳＥＴ以外の他ＣＯＲＥＳＥＴ内で下り制御チャネルを送信しないことを含む。
【００１４】
第３態様として、本開示の一部実施例は、端末を更に提供し、該端末は、異なるビーム方向に設定された異なる制御リソースセットＣＯＲＥＳＥＴ内で伝送される探索空間の監視機会の衝突が発生する場合、衝突が発生する探索空間のタイプに応じて、前記異なるＣＯＲＥＳＥＴからターゲットＣＯＲＥＳＥＴを選択する第１ターゲットＣＯＲＥＳＥＴ特定モジュールと、
前記ターゲットＣＯＲＥＳＥＴのビーム方向に従って下り制御チャネルを検出して受信する検出受信モジュールとを含み、
前記監視機会の衝突の発生は、監視機会が同じであり且つ前記異なるＣＯＲＥＳＥＴに設定されるリソースがオーバーラップし、又は監視機会の時間間隔が指定閾値よりも小さいことである。
【００１５】
任意選択で、前記第１ターゲットＣＯＲＥＳＥＴ特定モジュールは、
前記衝突が発生する探索空間のうちの１つだけが共通探索空間である場合、前記共通探索空間を伝送するＣＯＲＥＳＥＴを前記ターゲットＣＯＲＥＳＥＴとして特定する第１特定ユニットを含む。
【００１６】
任意選択で、前記第１ターゲットＣＯＲＥＳＥＴ特定モジュールは、
前記衝突が発生する探索空間のうち、少なくとも２つが共通探索空間である場合、前記共通探索空間を伝送する少なくとも２つのＣＯＲＥＳＥＴから、番号が最も小さいＣＯＲＥＳＥＴを前記ターゲットＣＯＲＥＳＥＴとして選択する第２特定ユニットを含む。
【００１７】
任意選択で、前記第１ターゲットＣＯＲＥＳＥＴ特定モジュールは、
前記衝突が発生する探索空間がすべて専用探索空間である場合、前記異なるＣＯＲＥＳＥＴから、番号が最も小さいＣＯＲＥＳＥＴを前記ターゲットＣＯＲＥＳＥＴとして選択する第３特定ユニットを含む。
【００１８】
任意選択で、前記検出受信モジュールは、
前記異なるＣＯＲＥＳＥＴ毎に、前記ターゲットＣＯＲＥＳＥＴのビーム方向に従って下り制御チャネルを検出して受信する第１検出受信ユニット、又は、
前記ターゲットＣＯＲＥＳＥＴ内でのみ前記ターゲットＣＯＲＥＳＥＴのビーム方向に従って下り制御チャネルを検出して受信し、且つ前記異なるＣＯＲＥＳＥＴのうち前記ターゲットＣＯＲＥＳＥＴ以外の他ＣＯＲＥＳＥＴ内で下り制御チャネルを検出しない第２検出受信ユニットを含む。
【００１９】
第４態様として、本開示の一部実施例は、ネットワーク側機器を更に提供し、該ネットワーク側機器は、異なるビーム方向に設定された異なるＣＯＲＥＳＥＴで下り制御チャネルを送信すべき時刻の衝突が発生する場合、前記異なるＣＯＲＥＳＥＴ内で衝突が発生する探索空間のタイプに応じて、前記異なるＣＯＲＥＳＥＴからターゲットＣＯＲＥＳＥＴを選択し、前記ターゲットＣＯＲＥＳＥＴのビーム方向に従って下り制御チャネルを送信し、又は、前記異なるＣＯＲＥＳＥＴ毎にそれぞれのビーム方向に従って下り制御チャネルを送信する送信モジュールを含み、
前記下り制御チャネルを送信すべき時刻の衝突の発生は、下り制御チャネルを送信する時刻が同じであり且つ前記異なるＣＯＲＥＳＥＴに設定されるリソースがオーバーラップし、又は下り制御チャネル送信の時間間隔が指定閾値よりも小さいことである。
【００２０】
任意選択で、前記送信モジュールは、前記衝突が発生する探索空間のうちの１つだけが共通探索空間である場合、前記共通探索空間を伝送するＣＯＲＥＳＥＴを前記ターゲットＣＯＲＥＳＥＴとして特定する第４特定ユニットを含む。
【００２１】
任意選択で、前記送信モジュールは、前記衝突が発生する探索空間のうち、少なくとも２つが共通探索空間である場合、前記共通探索空間を伝送する少なくとも２つのＣＯＲＥＳＥＴから、番号が最も小さいＣＯＲＥＳＥＴを前記ターゲットＣＯＲＥＳＥＴとして選択する第５特定ユニットを含む。
【００２２】
任意選択で、前記送信モジュールは、前記衝突が発生する探索空間がすべて専用探索空間である場合、前記異なるＣＯＲＥＳＥＴから、番号が最も小さいＣＯＲＥＳＥＴを前記ターゲットＣＯＲＥＳＥＴとして選択する第６特定ユニットを含む。
【００２３】
任意選択で、前記送信モジュールは、前記異なるＣＯＲＥＳＥＴ毎に、前記ターゲットＣＯＲＥＳＥＴのビーム方向に従って下り制御チャネルを送信する第１送信ユニット、又は、前記ターゲットＣＯＲＥＳＥＴ内でのみそのビーム方向に従って下り制御チャネルを送信し、且つ前記異なるＣＯＲＥＳＥＴのうち前記ターゲットＣＯＲＥＳＥＴ以外の他ＣＯＲＥＳＥＴ内で下り制御チャネルを送信しない第２送信ユニットを含む。
【００２４】
第５態様として、本開示の一部実施例は、トランシーバと、メモリと、プロセッサと、前記メモリに格納されて前記プロセッサで実行可能なコンピュータプログラムとを含む端末を更に提供する。前記プロセッサは、異なるビーム方向に設定された異なる制御リソースセットＣＯＲＥＳＥＴ内で伝送される探索空間の監視機会の衝突が発生する場合、衝突が発生する探索空間のタイプに応じて、前記異なるＣＯＲＥＳＥＴからターゲットＣＯＲＥＳＥＴを選択し、
前記トランシーバは、前記ターゲットＣＯＲＥＳＥＴのビーム方向に従って下り制御チャネルを検出して受信し、
前記監視機会の衝突の発生は、監視機会が同じであり且つ前記異なるＣＯＲＥＳＥＴに設定されるリソースがオーバーラップし、又は監視機会の時間間隔が指定閾値よりも小さいことである。
【００２５】
任意選択で、前記プロセッサは、前記衝突が発生する探索空間のうちの１つだけが共通探索空間である場合、前記共通探索空間を伝送するＣＯＲＥＳＥＴを前記ターゲットＣＯＲＥＳＥＴとして特定する。
【００２６】
任意選択で、前記プロセッサは、前記衝突が発生する探索空間のうち、少なくとも２つが共通探索空間である場合、前記共通探索空間を伝送する少なくとも２つのＣＯＲＥＳＥＴから、番号が最も小さいＣＯＲＥＳＥＴを前記ターゲットＣＯＲＥＳＥＴとして選択する。
【００２７】
任意選択で、前記プロセッサは、前記衝突が発生する探索空間がすべて専用探索空間である場合、前記異なるＣＯＲＥＳＥＴから、番号が最も小さいＣＯＲＥＳＥＴを前記ターゲットＣＯＲＥＳＥＴとして選択する。
【００２８】
任意選択で、前記トランシーバは、前記異なるＣＯＲＥＳＥＴ毎に、前記ターゲットＣＯＲＥＳＥＴのビーム方向に従って下り制御チャネルを検出して受信し、又は、前記ターゲットＣＯＲＥＳＥＴ内でのみ前記ターゲットＣＯＲＥＳＥＴのビーム方向に従って下り制御チャネルを検出して受信し、且つ前記異なるＣＯＲＥＳＥＴのうち前記ターゲットＣＯＲＥＳＥＴ以外の他ＣＯＲＥＳＥＴ内で下り制御チャネルを検出しない。
【００２９】
第６態様として、本開示の一部実施例は、トランシーバと、メモリと、プロセッサと、前記メモリに格納されて前記プロセッサで実行可能なコンピュータプログラムを含むネットワーク側機器を更に提供する。前記プロセッサは、異なるビーム方向に設定された異なるＣＯＲＥＳＥＴで下り制御チャネルを送信すべき時刻の衝突が発生する場合、前記異なるＣＯＲＥＳＥＴ内で衝突が発生する探索空間のタイプに応じて、前記異なるＣＯＲＥＳＥＴからターゲットＣＯＲＥＳＥＴを選択し、前記トランシーバは、前記ターゲットＣＯＲＥＳＥＴのビーム方向に従って下り制御チャネルを送信し、又は、前記トランシーバは、異なるビーム方向に設定された異なるＣＯＲＥＳＥＴで下り制御チャネルを送信すべき時刻の衝突が発生する場合、前記異なるＣＯＲＥＳＥＴ毎にそれぞれのビーム方向に従って下り制御チャネルを送信し、前記下り制御チャネルを送信すべき時刻の衝突の発生は、下り制御チャネルを送信する時刻が同じであり且つ前記異なるＣＯＲＥＳＥＴに設定されるリソースがオーバーラップし、又は下り制御チャネル送信の時間間隔が指定閾値よりも小さいことである。
【００３０】
任意選択で、前記プロセッサは、前記衝突が発生する探索空間のうちの１つだけが共通探索空間である場合、前記共通探索空間を伝送するＣＯＲＥＳＥＴを前記ターゲットＣＯＲＥＳＥＴとして特定する。
【００３１】
任意選択で、前記プロセッサは、前記衝突が発生する探索空間のうち、少なくとも２つが共通探索空間である場合、前記共通探索空間を伝送する少なくとも２つのＣＯＲＥＳＥＴから、番号が最も小さいＣＯＲＥＳＥＴを前記ターゲットＣＯＲＥＳＥＴとして選択する。
【００３２】
任意選択で、前記プロセッサは、前記衝突が発生する探索空間がすべて専用探索空間である場合、前記異なるＣＯＲＥＳＥＴから、番号が最も小さいＣＯＲＥＳＥＴを前記ターゲットＣＯＲＥＳＥＴとして選択する。
【００３３】
任意選択で、前記トランシーバは、前記異なるＣＯＲＥＳＥＴ毎に、前記ターゲットＣＯＲＥＳＥＴのビーム方向に従って下り制御チャネルを送信し、又は、前記ターゲットＣＯＲＥＳＥＴ内でのみそのビーム方向に従って下り制御チャネルを送信し、且つ前記異なるＣＯＲＥＳＥＴのうち前記ターゲットＣＯＲＥＳＥＴ以外の他ＣＯＲＥＳＥＴ内で下り制御チャネルを送信しない。
【００３４】
第７態様として、本開示の一部実施例は、コンピュータプログラムが格納されているコンピュータ読み取り可能な記憶媒体を更に提供する。該コンピュータプログラムがプロセッサによって実行されると、上記いずれの下り制御チャネル伝送方法が実現される。
【発明の効果】
【００３５】
本開示の一部実施例において、異なるビーム方向に設定された異なる制御リソースセットＣＯＲＥＳＥＴ内で伝送される探索空間の監視機会の衝突が発生する場合、衝突が発生する探索空間のタイプに応じて、前記異なるＣＯＲＥＳＥＴからターゲットＣＯＲＥＳＥＴを選択し、前記ターゲットＣＯＲＥＳＥＴのビーム方向に従って下り制御チャネルを検出して受信する。前記監視機会の衝突の発生は、監視機会が同じであり且つ前記異なるＣＯＲＥＳＥＴに設定されるリソースがオーバーラップし、又は監視機会の時間間隔が指定閾値よりも小さいことである。これによって、異なるビーム方向に設定された異なるＣＯＲＥＳＥＴが物理リソース上で衝突した（即ち、設定されたリソースがオーバーラップし且つ同じ時刻で下り制御チャネルを検出する必要があり、又は、間隔の小さい隣接する時刻で下り制御チャネルを検出する必要がある）場合、端末と基地局の挙動が明確に定義され、下り制御チャネルの受信が成功することが保証される。
【図面の簡単な説明】
【００３６】
【図１】本開示の一部実施例に係る端末に応用される下り制御チャネル伝送方法のフローチャートである。
【図２】本開示の一部実施例に係るネットワーク側機器に応用される下り制御チャネル伝送方法のフローチャートである。
【図３】本開示の一部実施例に係る端末の構造図である。
【図４】本開示の一部実施例に係るネットワーク側機器の構造図である。
【図５】本開示の一部実施例に係る端末の構造図である。
【図６】本開示の一部実施例に係るネットワーク側機器の構造図である。
【発明を実施するための形態】
【００３７】
本開示の実施例の目的、技術手段及び利点をより明確にするために、以下、本開示の実施例の図面を参照しながら、本開示の実施例の技術手段を明確且つ完全的に説明する。明らかに、説明する実施例は、本開示の実施例の一部であり、全てではない。説明する本開示の実施例に基づき、当業者が為しえる全ての他の実施例は、いずれも本開示の保護範囲に属するものである。
【００３８】
図１を参照し、図１は、本開示の一部実施例に係る下り制御チャネル伝送方法のフローチャートである。該方法は、端末に応用され、ステップ１１とステップ１２を含む。
【００３９】
ステップ１１において、異なるビーム方向に設定された異なる制御リソースセットＣＯＲＥＳＥＴ内で伝送される探索空間の監視機会の衝突が発生する場合、衝突が発生する探索空間ＳＳ（ｓｅａｒｃｈ    ｓｐａｃｅ）のタイプに応じて、前記異なるＣＯＲＥＳＥＴからターゲットＣＯＲＥＳＥＴを選択する。前記監視機会の衝突の発生は、監視機会が同じであり且つ前記異なるＣＯＲＥＳＥＴに設定されるリソースがオーバーラップし、又は監視機会の時間間隔が指定閾値よりも小さいことである。
【００４０】
ステップ１２において、前記ターゲットＣＯＲＥＳＥＴのビーム方向に従って下り制御チャネルを検出して受信する。
【００４１】
本開示の一部実施例に係る下り制御チャネル伝送方法において、異なるビーム方向に設定された異なる制御リソースセットＣＯＲＥＳＥＴ内で伝送される探索空間の監視機会の衝突が発生する場合、衝突が発生する探索空間のタイプに応じて、前記異なるＣＯＲＥＳＥＴからターゲットＣＯＲＥＳＥＴを選択し、前記ターゲットＣＯＲＥＳＥＴのビーム方向に従って下り制御チャネルを検出して受信し、前記監視機会の衝突の発生は、監視機会が同じであり且つ前記異なるＣＯＲＥＳＥＴに設定されるリソースがオーバーラップし、又は監視機会の時間間隔が指定閾値よりも小さいことである。これによって、異なるビーム方向に設定された異なるＣＯＲＥＳＥＴが物理リソース上で衝突した（即ち、設定されたリソースがオーバーラップし且つ同じ時刻で下り制御チャネルを検出する必要があり、又は、間隔の小さい隣接する時刻で下り制御チャネルを検出する必要がある）場合、端末の挙動が明確に定義され、下り制御チャネルの受信が成功することが保証される。
【００４２】
以下、例を挙げて上記下り制御チャネル伝送方法を説明する。
【００４３】
任意選択の具体的な実施形態として、前記の衝突が発生する探索空間のタイプに応じて、前記異なるＣＯＲＥＳＥＴからターゲットＣＯＲＥＳＥＴを選択すること（即ちステップ１１）は、前記衝突が発生する探索空間のうちの１つだけが共通探索空間ＣＳＳ（Ｃｏｍｍｏｎ  Ｓｅａｒｃｈ  Ｓｐａｃｅ）である場合、前記共通探索空間を伝送するＣＯＲＥＳＥＴを前記ターゲットＣＯＲＥＳＥＴとして特定することを含む。
【００４４】
本開示の一部実施例において、端末は、異なるＣＯＲＥＳＥＴ内で伝送される複数の探索空間を、同一の監視機会、又は時間間隔が指定閾値より小さい２つの監視機会で監視する場合、共通探索空間を優先的に受信し、即ち、衝突が発生した探索空間のうちの共通探索空間に対応するＣＯＲＥＳＥＴを前記ターゲットＣＯＲＥＳＥＴとして特定し、該ターゲットＣＯＲＥＳＥＴのビーム方向に従って下り制御チャネルを検出して受信する。
【００４５】
本実施例において、前記の衝突が発生する探索空間のタイプに応じて、前記異なるＣＯＲＥＳＥＴからターゲットＣＯＲＥＳＥＴを選択すること（即ちステップ１１）は、前記衝突が発生する探索空間のうち、少なくとも２つが共通探索空間である場合、前記共通探索空間を伝送する少なくとも２つのＣＯＲＥＳＥＴから、番号が最も小さいＣＯＲＥＳＥＴを前記ターゲットＣＯＲＥＳＥＴとして選択することを含む。
【００４６】
本実施例において、前記の衝突が発生する探索空間のタイプに応じて、前記異なるＣＯＲＥＳＥＴからターゲットＣＯＲＥＳＥＴを選択すること（即ちステップ１１）は、前記衝突が発生する探索空間がすべて専用探索空間ＵＳＳ（ＵＥ−ｓｐｅｃｉｆｉｃ  ｓｅａｒｃｈ  ｓｐａｃｅ）である場合、前記異なるＣＯＲＥＳＥＴから、番号が最も小さいＣＯＲＥＳＥＴを前記ターゲットＣＯＲＥＳＥＴとして選択することを含む。
【００４７】
また、前記の前記ターゲットＣＯＲＥＳＥＴのビーム方向に従って下り制御チャネルを検出して受信すること（ステップ１２）は、前記異なるＣＯＲＥＳＥＴ毎に、前記ターゲットＣＯＲＥＳＥＴのビーム方向に従って下り制御チャネルを検出して受信すること、又は、前記ターゲットＣＯＲＥＳＥＴ内でのみ前記ターゲットＣＯＲＥＳＥＴのビーム方向に従って下り制御チャネルを検出して受信し、且つ前記異なるＣＯＲＥＳＥＴのうち前記ターゲットＣＯＲＥＳＥＴ以外の他ＣＯＲＥＳＥＴ内で下り制御チャネルを検出しないことを含む。
【００４８】
異なるビーム方向に設定されたＣＯＲＥＳＥＴが物理リソース上で衝突した（即ち、設定されたリソースがオーバーラップし且つ探索空間の監視機会が同じであり、又は、監視機会の間隔時間が小さすぎる）場合、本開示の一部実施例において、以上のステップによって、端末の挙動が明確に定義される。
【００４９】
図２を参照し、図２は、本開示の一部実施例に係る下り制御チャネル伝送方法のフローチャートである。該方法は、ネットワーク側機器に応用され、ステップ２１を含む。
【００５０】
ステップ２１において、異なるビーム方向に設定された異なるＣＯＲＥＳＥＴで下り制御チャネルを送信すべき時刻の衝突が発生する場合、前記異なるＣＯＲＥＳＥＴ内で衝突が発生する探索空間のタイプに応じて、前記異なるＣＯＲＥＳＥＴからターゲットＣＯＲＥＳＥＴを選択し、前記ターゲットＣＯＲＥＳＥＴのビーム方向に従って下り制御チャネルを送信し、又は、前記異なるＣＯＲＥＳＥＴ毎にそれぞれのビーム方向に従って下り制御チャネルを送信する。前記下り制御チャネルを送信すべき時刻の衝突の発生は、下り制御チャネルを送信する時刻が同じであり且つ前記異なるＣＯＲＥＳＥＴに設定されるリソースがオーバーラップし、又は下り制御チャネル送信の時間間隔が指定閾値よりも小さいことである。
【００５１】
本開示の一部実施例において、異なるビーム方向に設定された異なる制御リソースセットＣＯＲＥＳＥＴで下り制御チャネルを送信すべき時刻の衝突が発生する場合、前記異なるＣＯＲＥＳＥＴ内で衝突が発生する探索空間のタイプに応じて、前記異なるＣＯＲＥＳＥＴからターゲットＣＯＲＥＳＥＴを選択し、前記ターゲットＣＯＲＥＳＥＴのビーム方向に従って下り制御チャネルを送信し、又は、前記異なるＣＯＲＥＳＥＴ毎にそれぞれのビーム方向に従って下り制御チャネルを送信する。前記下り制御チャネルを送信すべき時刻の衝突の発生は、下り制御チャネルを送信する時刻が同じであり且つ前記異なるＣＯＲＥＳＥＴに設定されるリソースがオーバーラップし、又は時間間隔が指定閾値よりも小さいことである。これによって、異なるビーム方向に設定された異なるＣＯＲＥＳＥＴが物理リソース上で衝突した（即ち、設定されたリソースがオーバーラップし且つ同じ時刻で下り制御チャネルを送信する必要があり、又は、間隔の小さい隣接する時刻で下り制御チャネルを送信する必要がある）場合、基地局の挙動が明確に定義され、下り制御チャネルの送信が成功することが保証される。
【００５２】
ここで、前記ネットワーク側機器は、基地局であってもよい。
【００５３】
以下、例を挙げて上記下り制御チャネル伝送方法を説明する。
【００５４】
１つの実施例において、前記の前記異なるＣＯＲＥＳＥＴ内で衝突が発生する探索空間のタイプに応じて、前記異なるＣＯＲＥＳＥＴからターゲットＣＯＲＥＳＥＴを選択すること（即ちステップ２１）は、前記衝突が発生する探索空間のうちの１つだけが共通探索空間である場合、前記共通探索空間を伝送するＣＯＲＥＳＥＴを前記ターゲットＣＯＲＥＳＥＴとして特定することを含む。
【００５５】
本開示の一部実施例において、異なるビーム方向に設定された異なるＣＯＲＥＳＥＴは、同一時刻（異なるＣＯＲＥＳＥＴに設定されるリソースがオーバーラップする）又は時間間隔が指定閾値よりも小さい２つの隣接時刻で下り制御チャネルを送信する必要がある場合、基地局は、共通探索空間を優先的に送信し、即ち衝突が発生する探索空間のうちの共通探索空間に対応するＣＯＲＥＳＥＴを前記ターゲットＣＯＲＥＳＥＴとして特定し、該ターゲットＣＯＲＥＳＥＴのビーム方向に従って下り制御チャネルを送信する。
【００５６】
本実施例において、前記の前記異なるＣＯＲＥＳＥＴ内で衝突が発生する探索空間のタイプに応じて、前記異なるＣＯＲＥＳＥＴからターゲットＣＯＲＥＳＥＴを選択すること（即ちステップ２１）は、前記衝突が発生する探索空間のうち、少なくとも２つが共通探索空間である場合、前記共通探索空間を伝送する少なくとも２つのＣＯＲＥＳＥＴから、番号が最も小さいＣＯＲＥＳＥＴを前記ターゲットＣＯＲＥＳＥＴとして選択することを含む。
【００５７】
本実施例において、前記の前記異なるＣＯＲＥＳＥＴ内で衝突が発生する探索空間のタイプに応じて、前記異なるＣＯＲＥＳＥＴからターゲットＣＯＲＥＳＥＴを選択すること（即ちステップ２１）は、前記衝突が発生する探索空間がすべて専用探索空間である場合、前記異なるＣＯＲＥＳＥＴから、番号が最も小さいＣＯＲＥＳＥＴを前記ターゲットＣＯＲＥＳＥＴとして選択することを含む。
【００５８】
本実施例において、前記の前記ターゲットＣＯＲＥＳＥＴのビーム方向に従って下り制御チャネルを送信すること（即ちステップ２１）は、前記異なるＣＯＲＥＳＥＴ毎に、前記ターゲットＣＯＲＥＳＥＴのビーム方向に従って下り制御チャネルを送信すること、又は、前記ターゲットＣＯＲＥＳＥＴ内でのみそのビーム方向に従って下り制御チャネルを送信し、且つ前記異なるＣＯＲＥＳＥＴのうち前記ターゲットＣＯＲＥＳＥＴ以外の他ＣＯＲＥＳＥＴ内で下り制御チャネルを送信しないことを含む。
【００５９】
異なるビーム方向に設定されたＣＯＲＥＳＥＴが物理リソース上で衝突した（即ち、設定されたリソースがオーバーラップし且つ下り制御チャネルを送信する時刻が同じであり、又は、下り制御チャネルを送信する時間間隔が小さすぎる）場合、本開示の一部実施例において、以上のステップによって、基地局の挙動が明確に定義される。
【００６０】
本開示の一部実施例は、具体的に以下の下り制御チャネル伝送方法を提供する。
基地局は、端末（例えばＵＥ１）にＣＯＲＥＳＥＴ＃１とＣＯＲＥＳＥＴ＃２の異なるビーム方向に設定された２つのＣＯＲＥＳＥＴを設定し、例えばＣＯＲＥＳＥＴ＃１は、ビーム方向ｂｅａｍ＃１に対応し、ＣＯＲＥＳＥＴ＃２は、ビーム方向ｂｅａｍ＃２に対応する。即ちＣＯＲＥＳＥＴ＃１内で伝送される下り制御チャネルは、全てｂｅａｍ＃１上で送信され、ＣＯＲＥＳＥＴ＃２内で伝送される下り制御チャネルは、全てｂｅａｍ＃２上で送信される。ＣＯＲＥＳＥＴ＃１には、３つの探索空間｛ＵＳＳ＃３，ＵＳＳ＃４，ＵＳＳ＃５｝が設定され、ＣＯＲＥＳＥＴ＃２には、２つの探索空間｛ＣＳＳ＃１，ＵＳＳ＃２｝が設定されているとする。ＣＯＲＥＳＥＴ＃２で伝送されるＣＳＳ＃１の監視機会（ｍｏｎｉｔｏｒｉｎｇ  ｏｃｃａｓｉｏｎ）とＣＯＲＥＳＥＴ＃１で伝送されるＵＳＳ＃３の監視機会がｓｌｏｔ  Ｎ（番号Ｎのスロット）で衝突した（監視機会が同一である）とし、且つＣＯＲＥＳＥＴ＃１とＣＯＲＥＳＥＴ＃２は、設定されたリソース上でオーバーラップするとする。この場合、基地局（ネットワーク側ともいう）と端末（端末側ともいう）は、この監視機会に下り制御チャネルをどのように送信、受信するかを以下の規則に従って特定する。
端末は、このＣＳＳ＃１を伝送したＣＯＲＥＳＥＴ＃２のビーム方向（ｂｅａｍ＃２）に従って下り制御チャネルを検出して受信する。端末は、ＣＯＲＥＳＥＴ＃１内でｂｅａｍ＃２に従って下り制御チャネルを検出して受信する。又は、端末は、ＣＯＲＥＳＥＴ＃１内で下り制御チャネルを監視（検出）しない。基地局は、ＣＳＳ＃１を伝送したＣＯＲＥＳＥＴ＃２のビーム方向（ｂｅａｍ＃２）に従って下り制御チャネルを送信する。基地局は、ＣＯＲＥＳＥＴ＃１内でｂｅａｍ＃２に従って下り制御チャネルを送信する。又は、基地局は、ＣＯＲＥＳＥＴ＃１内で下り制御チャネルを送信しない。
【００６１】
本開示の一部実施例は、具体的に以下の下り制御チャネル伝送方法を提供する。
基地局は、端末（例えばＵＥ１）にＣＯＲＥＳＥＴ＃１とＣＯＲＥＳＥＴ＃２の異なるビーム方向に設定された２つのＣＯＲＥＳＥＴを設定し、例えばＣＯＲＥＳＥＴ＃１は、ビーム方向ｂｅａｍ＃１に対応し、ＣＯＲＥＳＥＴ＃２は、ビーム方向ｂｅａｍ＃２に対応する。即ちＣＯＲＥＳＥＴ＃１内で伝送される下り制御チャネルは、全てｂｅａｍ＃１上で送信され、ＣＯＲＥＳＥＴ＃２内で伝送される下り制御チャネルは、全てｂｅａｍ＃２上で送信される。ＣＯＲＥＳＥＴ＃１には、３つの探索空間｛ＣＳＳ＃３，ＵＳＳ＃４，ＵＳＳ＃５｝が設定され、ＣＯＲＥＳＥＴ＃２には、２つの探索空間｛ＣＳＳ＃１，ＵＳＳ＃２｝が設定されているとする。ＣＯＲＥＳＥＴ＃２で伝送されるＣＳＳ＃１の監視機会とＣＯＲＥＳＥＴ＃１で伝送されるＣＳＳ＃３の監視機会がｓｌｏｔ  Ｎで衝突した（監視機会が同一である）とし、且つＣＯＲＥＳＥＴ＃１とＣＯＲＥＳＥＴ＃２は、設定されたリソース上でオーバーラップするとする。この場合、基地局と端末は、この監視機会に下り制御チャネルをどのように送信、受信するかを以下の規則に従って特定する。
端末は、このＣＯＲＥＳＥＴ＃１（最も番号が低い）のビーム方向（ｂｅａｍ＃１）に従って下り制御チャネルを検出して受信する。端末は、ＣＯＲＥＳＥＴ＃２内でｂｅａｍ＃１に従って下り制御チャネルを検出して受信する。又は、端末は、ＣＯＲＥＳＥＴ＃２内で下り制御チャネルを監視（検出）しない。基地局は、ＣＯＲＥＳＥＴ＃１のビーム方向（ｂｅａｍ＃１）に従って下り制御チャネルを送信する。基地局は、ＣＯＲＥＳＥＴ＃２内で、ｂｅａｍ＃１に従って下り制御チャネルを送信する。又は、基地局は、ＣＯＲＥＳＥＴ＃２内で下り制御チャネルを送信しない。
【００６２】
本開示の一部実施例は、具体的に以下の下り制御チャネル伝送方法を提供する。
基地局は、端末（例えばＵＥ１）にＣＯＲＥＳＥＴ＃１とＣＯＲＥＳＥＴ＃２の異なるビーム方向に設定された２つのＣＯＲＥＳＥＴを設定し、例えばＣＯＲＥＳＥＴ＃１は、ビーム方向ｂｅａｍ＃１に対応し、ＣＯＲＥＳＥＴ＃２は、ビーム方向ｂｅａｍ＃２に対応する。即ちＣＯＲＥＳＥＴ＃１内で伝送される下り制御チャネルは、全てｂｅａｍ＃１上で送信され、ＣＯＲＥＳＥＴ＃２内で伝送される下り制御チャネルは、全てｂｅａｍ＃２上で送信される。ＣＯＲＥＳＥＴ＃１には、３つの探索空間｛ＣＳＳ＃３，ＵＳＳ＃４，ＵＳＳ＃５｝が設定され、ＣＯＲＥＳＥＴ＃２には、２つの探索空間｛ＣＳＳ＃１，ＵＳＳ＃２｝が設定されているとする。ＣＯＲＥＳＥＴ＃２で伝送されるＵＳＳ＃２の監視機会とＣＯＲＥＳＥＴ＃１で伝送されるＵＳＳ＃４の監視機会がｓｌｏｔ  Ｎで衝突した（監視機会が同一である）とし、且つＣＯＲＥＳＥＴ＃１とＣＯＲＥＳＥＴ＃２は、設定されたリソース上でオーバーラップするとする。この場合、基地局と端末は、この監視機会に下り制御チャネルをどのように送信、受信するかを以下の規則に従って特定する。
端末は、このＣＯＲＥＳＥＴ＃１（最も番号が低い）のビーム方向（ｂｅａｍ＃１）に従って下り制御チャネルを検出して受信する。端末は、ＣＯＲＥＳＥＴ＃２内でｂｅａｍ＃１に従って下り制御チャネルを検出して受信する。又は、端末は、ＣＯＲＥＳＥＴ＃２内で下り制御チャネルを監視（検出）しない。基地局は、ＣＯＲＥＳＥＴ＃１のビーム方向（ｂｅａｍ＃１）に従って下り制御チャネルを送信する。基地局は、ＣＯＲＥＳＥＴ＃２内で、ｂｅａｍ＃１に従って下り制御チャネルを送信する。又は、基地局は、ＣＯＲＥＳＥＴ＃２内で下り制御チャネルを送信しない。
【００６３】
本開示の一部実施例は、具体的に以下の下り制御チャネル伝送方法を提供する。
基地局は、端末（例えばＵＥ１）にＣＯＲＥＳＥＴ＃１とＣＯＲＥＳＥＴ＃２の異なるビーム方向に設定された２つのＣＯＲＥＳＥＴを設定し、例えばＣＯＲＥＳＥＴ＃１は、ビーム方向ｂｅａｍ＃１に対応し、ＣＯＲＥＳＥＴ＃２は、ビーム方向ｂｅａｍ＃２に対応する。即ちＣＯＲＥＳＥＴ＃１内で伝送される下り制御チャネルは、全てｂｅａｍ＃１上で送信され、ＣＯＲＥＳＥＴ＃２内で伝送される下り制御チャネルは、全てｂｅａｍ＃２上で送信される。ＣＯＲＥＳＥＴ＃１には、３つの探索空間｛ＵＳＳ＃３，ＵＳＳ＃４，ＵＳＳ＃５｝が設定され、ＣＯＲＥＳＥＴ＃２には、２つの探索空間｛ＣＳＳ＃１，ＵＳＳ＃２｝が設定されているとする。ＣＯＲＥＳＥＴ＃２で伝送されるＣＳＳ＃１の監視機会＃１とＣＯＲＥＳＥＴ＃１で伝送されるＵＳＳ＃３の監視機会＃２との時間間隔が閾値Ｔよりも小さいとする。この場合、基地局と端末は、この監視機会（監視機会＃１と監視機会＃２を含む）に下り制御チャネルをどのように送信、受信するかを以下の規則に従って特定する。
端末は、ＣＳＳ＃１を伝送したＣＯＲＥＳＥＴ＃２のビーム方向（ｂｅａｍ＃２）に従って下り制御チャネルを検出して受信する。端末は、ＣＯＲＥＳＥＴ＃１内でｂｅａｍ＃２に従って下り制御チャネルを検出して受信する。又は、端末は、ＣＯＲＥＳＥＴ＃１内で下り制御チャネルを監視（検出）しない。基地局は、ＣＳＳ＃１を伝送したＣＯＲＥＳＥＴ＃２のビーム方向（ｂｅａｍ＃２）に従って下り制御チャネルを送信する。基地局は、ＣＯＲＥＳＥＴ＃１内で、ｂｅａｍ＃２に従って下り制御チャネルを送信する。又は、基地局は、ＣＯＲＥＳＥＴ＃１内で下り制御チャネルを送信しない。
【００６４】
本開示の一部実施例は、具体的に以下の下り制御チャネル伝送方法を提供する。
基地局は、端末（例えばＵＥ１）にＣＯＲＥＳＥＴ＃１とＣＯＲＥＳＥＴ＃２の異なるビーム方向に設定された２つのＣＯＲＥＳＥＴを設定し、例えばＣＯＲＥＳＥＴ＃１は、ビーム方向ｂｅａｍ＃１に対応し、ＣＯＲＥＳＥＴ＃２は、ビーム方向ｂｅａｍ＃２に対応する。即ちＣＯＲＥＳＥＴ＃１内で伝送される下り制御チャネルは、全てｂｅａｍ＃１上で送信され、ＣＯＲＥＳＥＴ＃２内で伝送される下り制御チャネルは、全てｂｅａｍ＃２上で送信される。ＣＯＲＥＳＥＴ＃１には、３つの探索空間｛ＣＳＳ＃３，ＵＳＳ＃４，ＵＳＳ＃５｝が設定され、ＣＯＲＥＳＥＴ＃２には、２つの探索空間｛ＣＳＳ＃１，ＵＳＳ＃２｝が設定されているとする。ＣＯＲＥＳＥＴ＃２で伝送されるＣＳＳ＃１の監視機会＃１とＣＯＲＥＳＥＴ＃１で伝送されるＣＳＳ＃３の監視機会＃２との時間間隔が閾値Ｔよりも小さいとする。この場合、ネットワーク側と端末側は、この監視機会（監視機会＃１と監視機会＃２を含む）に下り制御チャネルをどのように送信、受信するかを以下の規則に従って特定する。
端末は、このＣＯＲＥＳＥＴ＃１（最も番号が低い）のビーム方向（ｂｅａｍ＃１）に従って下り制御チャネルを検出して受信する。端末は、ＣＯＲＥＳＥＴ＃２内でｂｅａｍ＃１に従って下り制御チャネルを検出して受信する。又は、端末は、ＣＯＲＥＳＥＴ＃２内で下り制御チャネルを監視（検出）しない。基地局は、ＣＯＲＥＳＥＴ＃１のビーム方向（ｂｅａｍ＃１）に従って下り制御チャネルを送信する。基地局は、ＣＯＲＥＳＥＴ＃２内で、ｂｅａｍ＃１に従って下り制御チャネルを送信する。又は、基地局は、ＣＯＲＥＳＥＴ＃２内で下り制御チャネルを送信しない。
【００６５】
本開示の一部実施例は、具体的に以下の下り制御チャネル伝送方法を提供する。
基地局は、端末（例えばＵＥ１）にＣＯＲＥＳＥＴ＃１とＣＯＲＥＳＥＴ＃２の異なるビーム方向に設定された２つのＣＯＲＥＳＥＴを設定し、例えばＣＯＲＥＳＥＴ＃１は、ビーム方向ｂｅａｍ＃１に対応し、ＣＯＲＥＳＥＴ＃２は、ビーム方向ｂｅａｍ＃２に対応する。即ちＣＯＲＥＳＥＴ＃１内で伝送される下り制御チャネルは、全てｂｅａｍ＃１上で送信され、ＣＯＲＥＳＥＴ＃２内で伝送される下り制御チャネルは、全てｂｅａｍ＃２上で送信される。ＣＯＲＥＳＥＴ＃１には、３つの探索空間｛ＣＳＳ＃３，ＵＳＳ＃４，ＵＳＳ＃５｝が設定され、ＣＯＲＥＳＥＴ＃２には、２つの探索空間｛ＣＳＳ＃１，ＵＳＳ＃２｝が設定されているとする。ＣＯＲＥＳＥＴ＃２で伝送されるＵＳＳ＃２の監視機会＃１とＣＯＲＥＳＥＴ＃１で伝送されるＵＳＳ＃４の監視機会＃２との時間間隔が閾値Ｔよりも小さいとする。この場合、ネットワーク側と端末側は、この監視機会（監視機会＃１と監視機会＃２を含む）に下り制御チャネルをどのように送信、受信するかを以下の規則に従って特定する。
端末は、このＣＯＲＥＳＥＴ＃１（最も番号が低い）のビーム方向（ｂｅａｍ＃１）に従って下り制御チャネルを検出して受信する。端末は、ＣＯＲＥＳＥＴ＃２内でｂｅａｍ＃１に従って下り制御チャネルを検出して受信する。又は、端末は、ＣＯＲＥＳＥＴ＃２内で下り制御チャネルを監視（検出）しない。基地局は、ＣＯＲＥＳＥＴ＃１のビーム方向（ｂｅａｍ＃１）に従って下り制御チャネルを送信する。基地局は、ＣＯＲＥＳＥＴ＃２内で、ｂｅａｍ＃１に従って下り制御チャネルを送信する。又は、基地局は、ＣＯＲＥＳＥＴ＃２内で下り制御チャネルを送信しない。
【００６６】
図３を参照し、図３は、本開示の一部実施例に係る端末の構造図である。該端末３０は、異なるビーム方向に設定された異なる制御リソースセットＣＯＲＥＳＥＴ内で伝送される探索空間の監視機会の衝突が発生する場合、衝突が発生する探索空間のタイプに応じて、前記異なるＣＯＲＥＳＥＴからターゲットＣＯＲＥＳＥＴを選択する第１ターゲットＣＯＲＥＳＥＴ特定モジュール３１と、前記ターゲットＣＯＲＥＳＥＴのビーム方向に従って下り制御チャネルを検出して受信する検出受信モジュール３２とを含み、前記監視機会の衝突の発生は、監視機会が同じであり且つ前記異なるＣＯＲＥＳＥＴに設定されるリソースがオーバーラップし、又は監視機会の時間間隔が指定閾値よりも小さいことである。
【００６７】
本開示の一部実施例において、異なるビーム方向に設定された異なる制御リソースセットＣＯＲＥＳＥＴ内で伝送される探索空間の監視機会の衝突が発生する場合、衝突が発生する探索空間のタイプに応じて、前記異なるＣＯＲＥＳＥＴからターゲットＣＯＲＥＳＥＴを選択し、前記ターゲットＣＯＲＥＳＥＴのビーム方向に従って下り制御チャネルを検出して受信し、前記監視機会の衝突の発生は、監視機会が同じであり且つ前記異なるＣＯＲＥＳＥＴに設定されるリソースがオーバーラップし、又は監視機会の時間間隔が指定閾値よりも小さいことである。これによって、異なるビーム方向に設定された異なるＣＯＲＥＳＥＴが物理リソース上で衝突した（即ち、設定されたリソースがオーバーラップし且つ同じ時刻で下り制御チャネルを検出する必要があり、又は、間隔の小さい隣接する時刻で下り制御チャネルを検出する必要がある）場合、端末の挙動が明確に定義され、下り制御チャネルの受信が成功することが保証される。
【００６８】
任意選択で、前記第１ターゲットＣＯＲＥＳＥＴ特定モジュール３１は、前記衝突が発生する探索空間のうちの１つだけが共通探索空間である場合、前記共通探索空間を伝送するＣＯＲＥＳＥＴを前記ターゲットＣＯＲＥＳＥＴとして特定する第１特定ユニットを含む。
【００６９】
任意選択で、前記第１ターゲットＣＯＲＥＳＥＴ特定モジュール３１は、前記衝突が発生する探索空間のうち、少なくとも２つが共通探索空間である場合、前記共通探索空間を伝送する少なくとも２つのＣＯＲＥＳＥＴから、番号が最も小さいＣＯＲＥＳＥＴを前記ターゲットＣＯＲＥＳＥＴとして選択する第２特定ユニットを含む。
【００７０】
任意選択で、前記第１ターゲットＣＯＲＥＳＥＴ特定モジュール３１は、前記衝突が発生する探索空間がすべて専用探索空間である場合、前記異なるＣＯＲＥＳＥＴから、番号が最も小さいＣＯＲＥＳＥＴを前記ターゲットＣＯＲＥＳＥＴとして選択する第３特定ユニットを含む。
【００７１】
任意選択で、前記検出受信モジュール３２は、前記異なるＣＯＲＥＳＥＴ毎に、前記ターゲットＣＯＲＥＳＥＴのビーム方向に従って下り制御チャネルを検出して受信する第１検出受信ユニット、又は、前記ターゲットＣＯＲＥＳＥＴ内でのみ前記ターゲットＣＯＲＥＳＥＴのビーム方向に従って下り制御チャネルを検出して受信し、且つ前記異なるＣＯＲＥＳＥＴのうち前記ターゲットＣＯＲＥＳＥＴ以外の他ＣＯＲＥＳＥＴ内で下り制御チャネルを検出しない第２検出受信ユニットを含む。
【００７２】
本開示の一部実施例は、上記図１に示す方法実施例に対応する製品実施例であり、そのためここでは繰り返して記載せず、詳細は、上記図１に示す実施例を参照する。
【００７３】
図４を参照し、図４は、本開示の一部実施例に係るネットワーク側機器の構造図である。該ネットワーク側機器４０は、異なるビーム方向に設定された異なるＣＯＲＥＳＥＴで下り制御チャネルを送信すべき時刻の衝突が発生する場合、前記異なるＣＯＲＥＳＥＴ内で衝突が発生する探索空間のタイプに応じて、前記異なるＣＯＲＥＳＥＴからターゲットＣＯＲＥＳＥＴを選択し、前記ターゲットＣＯＲＥＳＥＴのビーム方向に従って下り制御チャネルを送信し、又は、前記異なるＣＯＲＥＳＥＴ毎にそれぞれのビーム方向に従って下り制御チャネルを送信する送信モジュール４１を含み、前記下り制御チャネルを送信すべき時刻の衝突の発生は、下り制御チャネルを送信する時刻が同じであり且つ前記異なるＣＯＲＥＳＥＴに設定されるリソースがオーバーラップし、又は下り制御チャネル送信の時間間隔が指定閾値よりも小さいことである。
【００７４】
本開示の一部実施例において、異なるビーム方向に設定された異なる制御リソースセットＣＯＲＥＳＥＴで下り制御チャネルを送信すべき時刻の衝突が発生する場合、前記異なるＣＯＲＥＳＥＴ内で衝突が発生する探索空間のタイプに応じて、前記異なるＣＯＲＥＳＥＴからターゲットＣＯＲＥＳＥＴを選択し、前記ターゲットＣＯＲＥＳＥＴのビーム方向に従って下り制御チャネルを送信し、又は、前記異なるＣＯＲＥＳＥＴ毎にそれぞれのビーム方向に従って下り制御チャネルを送信する。前記下り制御チャネルを送信する時刻の衝突の発生は、下り制御チャネルを送信する時刻が同じであり且つ前記異なるＣＯＲＥＳＥＴに設定されるリソースがオーバーラップし、又は時間間隔が指定閾値よりも小さいことである。これによって、異なるビーム方向に設定された異なるＣＯＲＥＳＥＴが物理リソース上で衝突した（即ち、設定されたリソースがオーバーラップし且つ同じ時刻で下り制御チャネルを送信する必要があり、又は、間隔の小さい隣接する時刻で下り制御チャネルを送信する必要がある）場合、基地局の挙動が明確に定義され、下り制御チャネルの送信が成功することが保証される。
【００７５】
任意選択で、前記送信モジュール４１は、前記衝突が発生する探索空間のうちの１つだけが共通探索空間である場合、前記共通探索空間を伝送するＣＯＲＥＳＥＴを前記ターゲットＣＯＲＥＳＥＴとして特定する第４特定ユニットを含む。
【００７６】
任意選択で、前記送信モジュール４１は、前記衝突が発生する探索空間のうち、少なくとも２つが共通探索空間である場合、前記共通探索空間を伝送する少なくとも２つのＣＯＲＥＳＥＴから、番号が最も小さいＣＯＲＥＳＥＴを前記ターゲットＣＯＲＥＳＥＴとして選択する第５特定ユニットを含む。
【００７７】
任意選択で、前記送信モジュール４１は、前記衝突が発生する探索空間がすべて専用探索空間である場合、前記異なるＣＯＲＥＳＥＴから、番号が最も小さいＣＯＲＥＳＥＴを前記ターゲットＣＯＲＥＳＥＴとして選択する第６特定ユニットを含む。
【００７８】
任意選択で、前記送信モジュール４１は、前記異なるＣＯＲＥＳＥＴ毎に、前記ターゲットＣＯＲＥＳＥＴのビーム方向に従って下り制御チャネルを送信する第１送信ユニット、又は、前記ターゲットＣＯＲＥＳＥＴ内でのみそのビーム方向に従って下り制御チャネルを送信し、且つ前記異なるＣＯＲＥＳＥＴのうち前記ターゲットＣＯＲＥＳＥＴ以外の他ＣＯＲＥＳＥＴ内で下り制御チャネルを送信しない第２送信ユニットを含む。
【００７９】
本開示の一部実施例は、上記図２に示す方法実施例に対応する製品実施例であり、そのためここでは繰り返して記載せず、詳細は、上記図２に示す実施例を参照する。
【００８０】
図５を参照し、図５は、本開示の一部実施例に係る端末の構造図である。該端末５０は、トランシーバ５１と、プロセッサ５２と、メモリ５３と、前記メモリ５３に格納されて前記プロセッサ５２で実行可能なコンピュータプログラムを含む。ここで、前記プロセッサ５２は、異なるビーム方向に設定された異なる制御リソースセットＣＯＲＥＳＥＴ内で伝送される探索空間の監視機会の衝突が発生する場合、衝突が発生する探索空間のタイプに応じて、前記異なるＣＯＲＥＳＥＴからターゲットＣＯＲＥＳＥＴを選択する。前記トランシーバ５１は、前記ターゲットＣＯＲＥＳＥＴのビーム方向に従って下り制御チャネルを検出して受信する。前記監視機会の衝突の発生は、監視機会が同じであり且つ前記異なるＣＯＲＥＳＥＴに設定されるリソースがオーバーラップし、又は監視機会の時間間隔が指定閾値よりも小さいことである。
【００８１】
前記トランシーバ５１は、プロセッサ５２による制御でデータを送受信する。
【００８２】
図５において、バスアーキテクチャは、任意数の相互接続するバスとブリッジを含み、具体的に、プロセッサ５２をはじめとする１つ又は複数のプロセッサとメモリ５３をはじめとするメモリの各種類の回路が接続したものである。バスアーキテクチャは、周辺イクイップメント、レギュレーター、電力管理回路などの各種類のほかの回路を接続したものであってもよい。これらは、いずれも本分野の公知事項であり、本文においてさらなる記載をしない。バスインタフェースにより、インタフェースが提供される。トランシーバ５１は、複数の部品であってもよく、即ち送信機と受信機を含み、伝送媒体でほかの各種類の装置と通信するユニットを提供する。
【００８３】
プロセッサ５２は、バスアーキテクチャと通常の処理を管理する。メモリ５３は、プロセッサ５２による操作実行に使用されるデータを記憶できる。
【００８４】
なお、メモリ５３は、端末のみに位置することに限定されず、メモリ５３とプロセッサ５２は、異なる地理的位置に別々に位置してもよい。
【００８５】
任意選択で、前記プロセッサ５２は、前記衝突が発生する探索空間のうちの１つだけが共通探索空間である場合、前記共通探索空間を伝送するＣＯＲＥＳＥＴを前記ターゲットＣＯＲＥＳＥＴとして特定する。
【００８６】
任意選択で、前記プロセッサ５２は、前記衝突が発生する探索空間のうち、少なくとも２つが共通探索空間である場合、前記共通探索空間を伝送する少なくとも２つのＣＯＲＥＳＥＴから、番号が最も小さいＣＯＲＥＳＥＴを前記ターゲットＣＯＲＥＳＥＴとして選択する。
【００８７】
任意選択で、前記プロセッサ５２は、前記衝突が発生する探索空間がすべて専用探索空間である場合、前記異なるＣＯＲＥＳＥＴから、番号が最も小さいＣＯＲＥＳＥＴを前記ターゲットＣＯＲＥＳＥＴとして選択する。
【００８８】
任意選択で、前記トランシーバ５１は、前記異なるＣＯＲＥＳＥＴ毎に、前記ターゲットＣＯＲＥＳＥＴのビーム方向に従って下り制御チャネルを検出して受信し、又は、前記ターゲットＣＯＲＥＳＥＴ内でのみ前記ターゲットＣＯＲＥＳＥＴのビーム方向に従って下り制御チャネルを検出して受信し、且つ前記異なるＣＯＲＥＳＥＴのうち前記ターゲットＣＯＲＥＳＥＴ以外の他ＣＯＲＥＳＥＴ内で下り制御チャネルを検出しない。
【００８９】
本開示の一部実施例の具体的な作業過程は、上記図１に示す方法実施例におけるものと一致するため、ここでは繰り返して記載せず、詳細は、上記図１に示す実施例における方法のステップの説明を参照する。
【００９０】
図６を参照し、図６は、本開示の一部実施例に係るネットワーク側機器の構造図である。該ネットワーク側機器６０は、トランシーバ６１と、プロセッサ６２と、メモリ６３と、前記メモリ６３に格納されて前記プロセッサ６２で実行可能なコンピュータプログラムを含む。ここで、前記プロセッサ６２は、異なるビーム方向に設定された異なるＣＯＲＥＳＥＴで下り制御チャネルを送信すべき時刻の衝突が発生する場合、前記異なるＣＯＲＥＳＥＴ内で衝突が発生する探索空間のタイプに応じて、前記異なるＣＯＲＥＳＥＴからターゲットＣＯＲＥＳＥＴを選択する。前記トランシーバ６１は、前記ターゲットＣＯＲＥＳＥＴのビーム方向に従って下り制御チャネルを送信する。又は、前記トランシーバ６１は、異なるビーム方向に設定された異なるＣＯＲＥＳＥＴで下り制御チャネルを送信すべき時刻の衝突が発生する場合、前記異なるＣＯＲＥＳＥＴ毎にそれぞれのビーム方向に従って下り制御チャネルを送信する。前記下り制御チャネルを送信すべき時刻の衝突の発生は、下り制御チャネルを送信する時刻が同じであり且つ前記異なるＣＯＲＥＳＥＴに設定されるリソースがオーバーラップし、又は下り制御チャネル送信の時間間隔が指定閾値よりも小さいことである。
【００９１】
ここで、トランシーバ６１は、プロセッサ６２による制御でデータを送受信する。
【００９２】
図６において、バスアーキテクチャは、任意数の相互接続するバスとブリッジを含み、具体的に、プロセッサ６２をはじめとする１つ又は複数のプロセッサとメモリ６３をはじめとするメモリの各種類の回路が接続したものである。バスアーキテクチャは、周辺イクイップメント、レギュレーター、電力管理回路などの各種類のほかの回路を接続したものであってもよい。これらは、いずれも本分野の公知事項であり、本文においてさらなる記載をしない。バスインタフェースにより、インタフェースが提供される。トランシーバ６１は、複数の部品であってもよく、即ち送信機と受信機を含み、伝送媒体でほかの各種類の装置と通信するユニットを提供する。
【００９３】
プロセッサ６２は、バスアーキテクチャと通常の処理を管理する。メモリ６３は、プロセッサ９００による操作実行に使用されるデータを記憶できる。
【００９４】
なお、メモリ６３は、ネットワーク側機器のみに位置することに限定されず、メモリ６３とプロセッサ６２は、異なる地理的位置に別々に位置してもよい。
【００９５】
任意選択で、前記プロセッサ６２は、前記衝突が発生する探索空間のうちの１つだけが共通探索空間である場合、前記共通探索空間を伝送するＣＯＲＥＳＥＴを前記ターゲットＣＯＲＥＳＥＴとして特定する。
【００９６】
任意選択で、前記プロセッサ６２は、前記衝突が発生する探索空間のうち、少なくとも２つが共通探索空間である場合、前記共通探索空間を伝送する少なくとも２つのＣＯＲＥＳＥＴから、番号が最も小さいＣＯＲＥＳＥＴを前記ターゲットＣＯＲＥＳＥＴとして選択する。
【００９７】
任意選択で、前記プロセッサ６２は、前記衝突が発生する探索空間がすべて専用探索空間である場合、前記異なるＣＯＲＥＳＥＴから、番号が最も小さいＣＯＲＥＳＥＴを前記ターゲットＣＯＲＥＳＥＴとして選択する。
【００９８】
任意選択で、前記トランシーバ６１は、前記異なるＣＯＲＥＳＥＴ毎に、前記ターゲットＣＯＲＥＳＥＴのビーム方向に従って下り制御チャネルを送信し、又は、前記ターゲットＣＯＲＥＳＥＴ内でのみそのビーム方向に従って下り制御チャネルを送信し、且つ前記異なるＣＯＲＥＳＥＴのうち前記ターゲットＣＯＲＥＳＥＴ以外の他ＣＯＲＥＳＥＴ内で下り制御チャネルを送信しない。
【００９９】
本開示の一部実施例の具体的な作業過程は、上記図２に示す方法実施例におけるものと一致するため、ここでは繰り返して記載せず、詳細は、上記図２に示す実施例における方法のステップの説明を参照する。
【０１００】
本開示の一部実施例は、コンピュータプログラムが格納されているコンピュータ読み取り可能な記憶媒体を提供し、該プログラムがプロセッサによって実行されると、上記のいずれの下り制御チャネル伝送方法のステップが実現される。詳細は、上記の対応する実施例における方法のステップの説明を参照する。
【０１０１】
本願で提供されるいくつかの実施例において、開示された方法及び装置は、他の方式で実現されることを理解されたい。例えば、以上に記載された装置の実施例は、単なる例示である。例えば、ユニットの区分は、単に論理機能の区分であり、実際に実現する際に別の区分方式がある。例えば、複数のユニット又はコンポーネントは、別のシステムに組み合わせられ又は一体化される。又は、一部の特徴は、無視されてもよく、又は実行されなくてもよい。また、示されており又は議論されている相互間の結合や直接結合や通信接続は、インタフェース、装置又はユニットを介した間接結合や通信接続であってもよく、電気的、機械的、又は他の形式であってもよい。
【０１０２】
また、本開示の各実施例における各機能的ユニットは、１つの処理ユニットに一体化されていてもよいし、別々に設けられている物理存在であってもよいし、２つ以上が１つのユニットに一体化されてもよい。上述した一体化ユニットは、ハードウェアの形態、又はハードウェアとソフトウェア機能ユニットの形態で実現することができる。
【０１０３】
上述したソフトウェア機能ユニットの形態で実現される一体化ユニットは、１つのコンピュータ読み取り可能な記憶媒体に格納されてもよい。上記ソフトウェア機能ユニットは、１つの記憶媒体に記憶され、本開示の各実施例に記載の情報データブロックの処理方法のステップの一部をコンピュータ装置（パーソナルコンピュータ、サーバ、又はネットワーク機器であってもよい）に実行させるいくつかの指令を含む。前記の記憶媒体は、ＵＳＢディスク、モバイルハードディスク、ＲＯＭ（Ｒｅａｄ−Ｏｎｌｙ  Ｍｅｍｏｒｙ）、ＲＡＭ（Ｒａｎｄｏｍ  Ａｃｃｅｓｓ  Ｍｅｍｏｒｙ）、磁気ディスク又は光ディスクなど、プログラムコードを格納することができる様々な媒体を含む。
【０１０４】
本開示の実施例に記載のこれらの実施例は、ハードウェア、ソフトウェア、ファームウェア、ミドルウェア、マイクロコード又はそれらの組み合わせによって実現される。ハードウェアによる実現について、処理ユニットは、１つ又は複数のＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔｓ）、ＤＳＰ（Ｄｉｇｉｔａｌ  Ｓｉｇｎａｌ  Ｐｒｏｃｅｓｓｉｎｇ）、ＤＳＰＤ（ＤＳＰ  Ｄｅｖｉｃｅ）、ＰＬＤ（Ｐｒｏｇｒａｍｍａｂｌｅ  Ｌｏｇｉｃ  Ｄｅｖｉｃｅ）、ＦＰＧＡ（Ｆｉｅｌｄ−Ｐｒｏｇｒａｍｍａｂｌｅ  Ｇａｔｅ  Ａｒｒａｙ）、汎用プロセッサ、コントローラ、マイクロコントローラ、マイクロプロセッサ、及び、それ以外の本開示に記載の機能を実行するための電子ユニット又はそれらの組み合わせで実現される。
【０１０５】
ソフトウェアによる実現について、本開示の実施例に記載の機能を実行するモジュール（例えばプロセス、関数など）によって本開示の実施例に記載の技術を実現することができる。ソフトウェアコードは、メモリに保存され得てプロセッサによって実行され得る。メモリは、プロセッサの中又はプロセッサの外部で実現することができる。
【０１０６】
以上記載されたのは、本開示の選択可能な実施形態である。当業者は、本開示に記載されている原理を逸脱せずに様々な改良や修飾をすることもできる。これらの改良や修飾も、本開示の保護範囲として見なされるべきである。
【図１】
2022502949.tif 000003
【図２】
2022502949.tif 000004
【図３】
2022502949.tif 000005
【図４】
2022502949.tif 000006
【図５】
2022502949.tif 000007
【図６】
2022502949.tif 000008
【手続補正書】
【提出日】令和3年3月29日(2021.3.29)
【手続補正１】
【補正対象書類名】特許請求の範囲
【補正対象項目名】全文
【補正方法】変更
【補正の内容】
【特許請求の範囲】
【請求項１】
端末に応用される下り制御チャネル受信方法であって、
異なるビーム方向に設定された異なる制御リソースセットＣＯＲＥＳＥＴ（ｃｏｎｔｒｏｌ−ｒｅｓｏｕｒｃｅ  ｓｅｔ）内で伝送される探索空間の監視機会の衝突が発生する場合、衝突が発生する探索空間のタイプに応じて、前記異なるＣＯＲＥＳＥＴからターゲットＣＯＲＥＳＥＴを選択することと、
前記ターゲットＣＯＲＥＳＥＴのビーム方向に従って下り制御チャネルを検出して受信することとを含み、
前記監視機会の衝突の発生は、監視機会が同じであり且つ前記異なるＣＯＲＥＳＥＴに設定されるリソースがオーバーラップし、又は監視機会の時間間隔が指定閾値よりも小さいことである、下り制御チャネル伝送方法。
【請求項２】
前記の衝突が発生する探索空間のタイプに応じて、前記異なるＣＯＲＥＳＥＴからターゲットＣＯＲＥＳＥＴを選択することは、
前記衝突が発生する探索空間のうちの１つだけが共通探索空間である場合、前記共通探索空間を伝送するＣＯＲＥＳＥＴを前記ターゲットＣＯＲＥＳＥＴとして特定することを含む、請求項１に記載の下り制御チャネル受信方法。
【請求項３】
前記の衝突が発生する探索空間のタイプに応じて、前記異なるＣＯＲＥＳＥＴからターゲットＣＯＲＥＳＥＴを選択することは、
前記衝突が発生する探索空間のうち、少なくとも２つが共通探索空間である場合、前記共通探索空間を伝送する少なくとも２つのＣＯＲＥＳＥＴから、番号が最も小さいＣＯＲＥＳＥＴを前記ターゲットＣＯＲＥＳＥＴとして選択することを含む、請求項１に記載の下り制御チャネル受信方法。
【請求項４】
前記の衝突が発生する探索空間のタイプに応じて、前記異なるＣＯＲＥＳＥＴからターゲットＣＯＲＥＳＥＴを選択することは、
前記衝突が発生する探索空間がすべてＵＥ専用探索空間である場合、前記異なるＣＯＲＥＳＥＴから、番号が最も小さいＣＯＲＥＳＥＴを前記ターゲットＣＯＲＥＳＥＴとして選択することを含む、請求項１に記載の下り制御チャネル受信方法。
【請求項５】
前記の前記ターゲットＣＯＲＥＳＥＴのビーム方向に従って下り制御チャネルを検出して受信することは、
前記異なるＣＯＲＥＳＥＴ毎に、前記ターゲットＣＯＲＥＳＥＴのビーム方向に従って下り制御チャネルを検出して受信すること、又は、
前記ターゲットＣＯＲＥＳＥＴ内でのみ前記ターゲットＣＯＲＥＳＥＴのビーム方向に従って下り制御チャネルを検出して受信し、且つ前記異なるＣＯＲＥＳＥＴのうち前記ターゲットＣＯＲＥＳＥＴ以外の他ＣＯＲＥＳＥＴ内で下り制御チャネルを検出しないことを含む、請求項１〜４のいずれか１項に記載の下り制御チャネル受信方法。
【請求項６】
ネットワーク側機器に応用される下り制御チャネル伝送方法であって、
異なるビーム方向に設定された異なるＣＯＲＥＳＥＴで下り制御チャネルを送信すべき時刻の衝突が発生する場合、
前記異なるＣＯＲＥＳＥＴ内で衝突が発生する探索空間のタイプに応じて、前記異なるＣＯＲＥＳＥＴからターゲットＣＯＲＥＳＥＴを選択し、前記ターゲットＣＯＲＥＳＥＴのビーム方向に従って下り制御チャネルを送信すること、又は、
前記異なるＣＯＲＥＳＥＴ毎にそれぞれのビーム方向に従って下り制御チャネルを送信することを含み、
前記下り制御チャネルを送信すべき時刻の衝突の発生は、下り制御チャネルを送信する時刻が同じであり且つ前記異なるＣＯＲＥＳＥＴに設定されるリソースがオーバーラップし、又は下り制御チャネル送信の時間間隔が指定閾値よりも小さいことである、下り制御チャネル伝送方法。
【請求項７】
前記の前記異なるＣＯＲＥＳＥＴ内で衝突が発生する探索空間のタイプに応じて、前記異なるＣＯＲＥＳＥＴからターゲットＣＯＲＥＳＥＴを選択することは、
前記衝突が発生する探索空間のうちの１つだけが共通探索空間である場合、前記共通探索空間を伝送するＣＯＲＥＳＥＴを前記ターゲットＣＯＲＥＳＥＴとして特定することを含む、請求項６に記載の下り制御チャネル伝送方法。
【請求項８】
前記の前記異なるＣＯＲＥＳＥＴ内で衝突が発生する探索空間のタイプに応じて、前記異なるＣＯＲＥＳＥＴからターゲットＣＯＲＥＳＥＴを選択することは、
前記衝突が発生する探索空間のうち、少なくとも２つが共通探索空間である場合、前記共通探索空間を伝送する少なくとも２つのＣＯＲＥＳＥＴから、番号が最も小さいＣＯＲＥＳＥＴを前記ターゲットＣＯＲＥＳＥＴとして選択すること、
又は、
前記衝突が発生する探索空間がすべてＵＥ専用探索空間である場合、前記異なるＣＯＲＥＳＥＴから、番号が最も小さいＣＯＲＥＳＥＴを前記ターゲットＣＯＲＥＳＥＴとして選択することを含む、請求項６に記載の下り制御チャネル伝送方法。
【請求項９】
前記の前記ターゲットＣＯＲＥＳＥＴのビーム方向に従って下り制御チャネルを送信することは、
前記異なるＣＯＲＥＳＥＴ毎に、前記ターゲットＣＯＲＥＳＥＴのビーム方向に従って下り制御チャネルを送信すること、又は、
前記ターゲットＣＯＲＥＳＥＴ内でのみそのビーム方向に従って下り制御チャネルを送信し、且つ前記異なるＣＯＲＥＳＥＴのうち前記ターゲットＣＯＲＥＳＥＴ以外の他ＣＯＲＥＳＥＴ内で下り制御チャネルを送信しないことを含む、請求項６〜８のいずれか１項に記載の下り制御チャネル伝送方法。
【請求項１０】
異なるビーム方向に設定された異なる制御リソースセットＣＯＲＥＳＥＴ内で伝送される探索空間の監視機会の衝突が発生する場合、衝突が発生する探索空間のタイプに応じて、前記異なるＣＯＲＥＳＥＴからターゲットＣＯＲＥＳＥＴを選択する第１ターゲットＣＯＲＥＳＥＴ特定モジュールと、
前記ターゲットＣＯＲＥＳＥＴのビーム方向に従って下り制御チャネルを検出して受信する検出受信モジュールとを含み、
前記監視機会の衝突の発生は、監視機会が同じであり且つ前記異なるＣＯＲＥＳＥＴに設定されるリソースがオーバーラップし、又は監視機会の時間間隔が指定閾値よりも小さいことである、端末。
【請求項１１】
前記第１ターゲットＣＯＲＥＳＥＴ特定モジュールは、
前記衝突が発生する探索空間のうちの１つだけが共通探索空間である場合、前記共通探索空間を伝送するＣＯＲＥＳＥＴを前記ターゲットＣＯＲＥＳＥＴとして特定する第１特定ユニット、
又は、
前記衝突が発生する探索空間のうち、少なくとも２つが共通探索空間である場合、前記共通探索空間を伝送する少なくとも２つのＣＯＲＥＳＥＴから、番号が最も小さいＣＯＲＥＳＥＴを前記ターゲットＣＯＲＥＳＥＴとして選択する第２特定ユニット、
又は、
前記衝突が発生する探索空間がすべてＵＥ専用探索空間である場合、前記異なるＣＯＲＥＳＥＴから、番号が最も小さいＣＯＲＥＳＥＴを前記ターゲットＣＯＲＥＳＥＴとして選択する第３特定ユニットを含む、請求項１０に記載の端末。
【請求項１２】
前記検出受信モジュールは、
前記異なるＣＯＲＥＳＥＴ毎に、前記ターゲットＣＯＲＥＳＥＴのビーム方向に従って下り制御チャネルを検出して受信する第１検出受信ユニット、又は、
前記ターゲットＣＯＲＥＳＥＴ内でのみ前記ターゲットＣＯＲＥＳＥＴのビーム方向に従って下り制御チャネルを検出して受信し、且つ前記異なるＣＯＲＥＳＥＴのうち前記ターゲットＣＯＲＥＳＥＴ以外の他ＣＯＲＥＳＥＴ内で下り制御チャネルを検出しない第２検出受信ユニットを含む、請求項１０又は１１に記載の端末。
【請求項１３】
異なるビーム方向に設定された異なるＣＯＲＥＳＥＴで下り制御チャネルを送信すべき時刻の衝突が発生する場合、
前記異なるＣＯＲＥＳＥＴ内で衝突が発生する探索空間のタイプに応じて、前記異なるＣＯＲＥＳＥＴからターゲットＣＯＲＥＳＥＴを選択し、前記ターゲットＣＯＲＥＳＥＴのビーム方向に従って下り制御チャネルを送信し、又は、前記異なるＣＯＲＥＳＥＴ毎にそれぞれのビーム方向に従って下り制御チャネルを送信する送信モジュールを含み、
前記下り制御チャネルを送信すべき時刻の衝突の発生は、下り制御チャネルを送信する時刻が同じであり且つ前記異なるＣＯＲＥＳＥＴに設定されるリソースがオーバーラップし、又は下り制御チャネル送信の時間間隔が指定閾値よりも小さいことである、ネットワーク側機器。
【請求項１４】
前記送信モジュールは、
前記衝突が発生する探索空間のうちの１つだけが共通探索空間である場合、前記共通探索空間を伝送するＣＯＲＥＳＥＴを前記ターゲットＣＯＲＥＳＥＴとして特定する第４特定ユニット、
又は、
前記衝突が発生する探索空間のうち、少なくとも２つが共通探索空間である場合、前記共通探索空間を伝送する少なくとも２つのＣＯＲＥＳＥＴから、番号が最も小さいＣＯＲＥＳＥＴを前記ターゲットＣＯＲＥＳＥＴとして選択する第５特定ユニット、
又は、
前記衝突が発生する探索空間がすべて専用探索空間である場合、前記異なるＣＯＲＥＳＥＴから、番号が最も小さいＣＯＲＥＳＥＴを前記ターゲットＣＯＲＥＳＥＴとして選択する第６特定ユニットを含む、請求項１３に記載のネットワーク側機器。
【請求項１５】
前記送信モジュールは、
前記異なるＣＯＲＥＳＥＴ毎に、前記ターゲットＣＯＲＥＳＥＴのビーム方向に従って下り制御チャネルを送信する第１送信ユニット、又は、
前記ターゲットＣＯＲＥＳＥＴ内でのみそのビーム方向に従って下り制御チャネルを送信し、且つ前記異なるＣＯＲＥＳＥＴのうち前記ターゲットＣＯＲＥＳＥＴ以外の他ＣＯＲＥＳＥＴ内で下り制御チャネルを送信しない第２送信ユニットを含む、請求項１３又は１４に記載のネットワーク側機器。
【手続補正３】
【補正対象書類名】明細書
【補正対象項目名】０００１
【補正方法】変更
【補正の内容】
【０００１】
（関連出願の相互参照）
本願は、２０１８年０９月２８日に中国特許庁に提出された中国特許出願２０１８１１１４３０５７．１の優先権を主張し、その全ての内容が援用によりここに取り込まれる。
本開示は、通信技術分野に係り、特に下り制御チャネル伝送方法、下り制御チャネル受信方法、端末及びネットワーク側機器に係る。
【手続補正４】
【補正対象書類名】明細書
【補正対象項目名】０００４
【補正方法】変更
【補正の内容】
【０００４】
上記目的を実現するために、第１態様として、本開示の一部実施例は、端末に応用される下り制御チャネル受信方法を提供し、その方法は、異なるビーム方向に設定された異なる制御リソースセットＣＯＲＥＳＥＴ（ｃｏｎｔｒｏｌ―ｒｅｓｏｕｒｃｅ  ｓｅｔ）内で伝送される探索空間の監視機会の衝突が発生する場合、衝突が発生する探索空間のタイプに応じて、前記異なるＣＯＲＥＳＥＴからターゲットＣＯＲＥＳＥＴを選択することと、前記ターゲットＣＯＲＥＳＥＴのビーム方向に従って下り制御チャネルを検出して受信することとを含み、前記監視機会の衝突の発生は、監視機会が同じであり且つ前記異なるＣＯＲＥＳＥＴに設定されるリソースがオーバーラップし、又は監視機会の時間間隔が指定閾値よりも小さいことである。
【手続補正５】
【補正対象書類名】明細書
【補正対象項目名】００３４
【補正方法】変更
【補正の内容】
【００３４】
第７態様として、本開示の一部実施例は、コンピュータプログラムが格納されているコンピュータ読み取り可能な記憶媒体を更に提供する。該コンピュータプログラムがプロセッサによって実行されると、上記下り制御チャネル伝送方法と下り制御チャネル受信方法のいずれの方法が実現される。
【手続補正６】
【補正対象書類名】明細書
【補正対象項目名】００３８
【補正方法】変更
【補正の内容】
【００３８】
図１を参照し、図１は、本開示の一部実施例に係る下り制御チャネル受信方法のフローチャートである。該方法は、端末に応用され、ステップ１１とステップ１２を含む。
【手続補正７】
【補正対象書類名】明細書
【補正対象項目名】００４１
【補正方法】変更
【補正の内容】
【００４１】
本開示の一部実施例に係る下り制御チャネル受信方法において、異なるビーム方向に設定された異なる制御リソースセットＣＯＲＥＳＥＴ内で伝送される探索空間の監視機会の衝突が発生する場合、衝突が発生する探索空間のタイプに応じて、前記異なるＣＯＲＥＳＥＴからターゲットＣＯＲＥＳＥＴを選択し、前記ターゲットＣＯＲＥＳＥＴのビーム方向に従って下り制御チャネルを検出して受信し、前記監視機会の衝突の発生は、監視機会が同じであり且つ前記異なるＣＯＲＥＳＥＴに設定されるリソースがオーバーラップし、又は監視機会の時間間隔が指定閾値よりも小さいことである。これによって、異なるビーム方向に設定された異なるＣＯＲＥＳＥＴが物理リソース上で衝突した（即ち、設定されたリソースがオーバーラップし且つ同じ時刻で下り制御チャネルを検出する必要があり、又は、間隔の小さい隣接する時刻で下り制御チャネルを検出する必要がある）場合、端末の挙動が明確に定義され、下り制御チャネルの受信が成功することが保証される。
【手続補正８】
【補正対象書類名】明細書
【補正対象項目名】００４２
【補正方法】変更
【補正の内容】
【００４２】
以下、例を挙げて上記下り制御チャネル受信方法を説明する。
【手続補正９】
【補正対象書類名】明細書
【補正対象項目名】００９３
【補正方法】変更
【補正の内容】
【００９３】
プロセッサ６２は、バスアーキテクチャと通常の処理を管理する。メモリ６３は、プロセッサ５２による操作実行に使用されるデータを記憶できる。
【手続補正１０】
【補正対象書類名】明細書
【補正対象項目名】０１００
【補正方法】変更
【補正の内容】
【０１００】
本開示の一部実施例は、コンピュータプログラムが格納されているコンピュータ読み取り可能な記憶媒体を提供し、該プログラムがプロセッサによって実行されると、上記下り制御チャネル伝送方法と下り制御チャネル受信方法のいずれの方法のステップが実現される。詳細は、上記の対応する実施例における方法のステップの説明を参照する。
【手続補正１１】
【補正対象書類名】明細書
【補正対象項目名】０１０３
【補正方法】変更
【補正の内容】
【０１０３】
上述したソフトウェア機能ユニットの形態で実現される一体化ユニットは、１つのコンピュータ読み取り可能な記憶媒体に格納されてもよい。上記ソフトウェア機能ユニットは、１つの記憶媒体に記憶され、本開示の各実施例に記載の下り制御チャネル伝送方法と下り制御チャネル受信方法のステップの一部をコンピュータ装置（パーソナルコンピュータ、サーバ、又はネットワーク機器であってもよい）に実行させるいくつかの指令を含む。前記の記憶媒体は、ＵＳＢディスク、モバイルハードディスク、ＲＯＭ（Ｒｅａｄ−Ｏｎｌｙ  Ｍｅｍｏｒｙ）、ＲＡＭ（Ｒａｎｄｏｍ  Ａｃｃｅｓｓ  Ｍｅｍｏｒｙ）、磁気ディスク又は光ディスクなど、プログラムコードを格納することができる様々な媒体を含む。
【国際調査報告】
2022502949.tif 000009
2022502949.tif 000010
2022502949.tif 000011
2022502949.tif 000012